(57)【要約】  物理的オブジェクト（１０７）からのマシン読み取り可能なラベルの読み取り、地理的位置（１０８）に関する座標ラベルの読み取り、内部クロック（１０９）からのタイムスタンプラベルの読み取り、ディジタルテキスト列ラベルをキーボードタイプ入力デバイスから直接的に取得した入力として受け入れること、あるいは何らかの変換手段によってディジタルデータになるようにエンコードしている任意の別のラベルタイプ情報を変換している音声対テキストエンジンを間接的に使用すること、さまざまな指標付け操作を実行し、コンテンツオブジェクト識別子およびその関連付けしたコンテンツをツアー（１０３）と呼ぶ単一のアドレス可能単位となるようにするためにこれらの異なるラベルを一律にオブジェクト識別子として取り扱うことが可能なシステムおよび方法である。本システムは、オーサリングモードと再生モードで機能することができる。オーサリングモードはオーディオ／テキスト／グラフィックス／ビデオの新たなメッセージの記録、およびオブジェクト識別子に対するバインドを可能にしている。再生モードは、オブジェクト識別子がアクセスを受けたときに記録済みのメッセージの再生を起動している。
2005509982.tif 000002
【特許請求の範囲】
【請求項１】
物理的世界に関連する情報をオーサリングするための方法であって、
オーサリングデバイスを用いて、第１のオブジェクトに関連付けされた第１のラベルを検出するステップと、
前記検出に応答してコンテンツをオーサリングするためのシステムを起動させるステップと、
を含み、
前記コンテンツは、前記第１のオブジェクトに対して曖昧さなくバインドを受け、かつ前記第１のラベルの検出の間に再生デバイス上でレンダリングを受けることになるような方法。
【請求項２】
コンテンツをオーサリングするための前記システムが前記オーサリングデバイス上に常駐している請求項１に記載の方法。
【請求項３】
前記オーサリングデバイスおよび前記再生デバイスが単一の装置内で一体化されている請求項１に記載の方法。
【請求項４】
前記ラベルが、バーコードラベル、座標、ＲＦＩＤタグ、ＩＲタグ、タイムスタンプ、テキスト列、及び幾つかの変換手段によってその情報をディジタルデータに変換可能であるような任意の他のラベルタイプからなる群から選択されている請求項１に記載の方法。
【請求項５】
前記コンテンツがオーディオ、テキスト、グラフィックス、ビデオ、あるいはこれらを組み合わせたものからなる群から選択されている請求項１に記載の方法。
【請求項６】
前記コンテンツがライブエージェントへのリンクである請求項１に記載の方法。
【請求項７】
第２のオブジェクトに関連付けされた第２のラベルを検出するステップと、
前記検出に応答して、前記第２のオブジェクトに対して曖昧さなくバインドさせるコンテンツをオーサリングするためのシステムを起動させるステップと、
前記第１のオブジェクトおよび前記第２のオブジェクトにバインドさせたコンテンツをツアーと呼ぶ単一の論理実体要素になるように集合させるステップと、
をさらに含む請求項１に記載の方法。
【請求項８】
前記第１のオブジェクトと関連付けした第２のラベルを検出するステップと、
前記第１のオブジェクトにバインドさせたコンテンツを前記第１または第２のラベルのいずれかを検出する間に再生モードでレンダリングできるように前記第１のラベルおよび前記第２のラベルを正規化するステップとをさらに含む請求項１に記載の方法。
【請求項９】
前記コンテンツを前記装置内に常駐させた不揮発メモリ内に格納するステップをさらに含む請求項１に記載の方法。
【請求項１０】
前記コンテンツをリモートサーバにアップロードするステップをさらに含む請求項１に記載の方法。
【請求項１１】
前記アップロードのステップがワイヤレスネットワークを介して実行されている請求項１０に記載の方法。
【請求項１２】
前記アップロードのステップが有線式ネットワークを介して実行されている請求項１０に記載の方法。
【請求項１３】
物理的世界に関連する情報をオーサリングさせるための命令を有するコンピュータ読み取り可能媒体であって、前記命令は、
第１のオブジェクトに関連付けされた第１のラベルを検出するステップと、
前記検出に応答して、前記第１のオブジェクトに対して曖昧さなくバインドを受けるコンテンツをオーサリングするためのシステムを起動させるステップとを含むステップと、を実行させ、前記コンテンツは、前記第１のラベルの検出の間に再生モードにあるデバイスによってレンダリングを受ける、コンピュータ読み取り可能媒体。
【請求項１４】
前記命令はさらに、
第２のオブジェクトに関連付けされた第２のラベルを検出するステップと、
前記検出に応答して、前記第２のオブジェクトに対して曖昧さなくバインドさせるコンテンツをオーサリングするためのシステムを起動させるステップと、
前記第１のオブジェクトおよび前記第２のオブジェクトにバインドさせたコンテンツをツアーと呼ぶ単一の論理実体要素になるように集合させるステップと、
を実行している請求項１３に記載のコンピュータ読み取り可能媒体。
【請求項１５】
前記命令はさらに、前記第１のオブジェクトと関連付けした第２のラベルを検出するステップと、前記コンテンツを前記第１または第２のラベルのいずれかを検出する間に前記デバイスによって再生モードでレンダリングできるように前記第１のラベルおよび前記第２のラベルを正規化するステップとを実行している請求項１４に記載のコンピュータ読み取り可能媒体。
【請求項１６】
物理的世界のオブジェクトに関連付けさせるコンテンツをオーサリングさせるための命令を有するコンピュータ読み取り可能媒体であって、前記命令は、
オブジェクトに関連付けされた読み取りオブジェクトラベルをオブジェクト識別子とするように正規化するステップと、
前記オブジェクト識別子を指標テーブルリポジトリ内に配置させるステップと、
前記オブジェクトラベルを再生モードで読み取る際にレンダリングさせるコンテンツを受け入れるステップと、
前記コンテンツを指標テーブルリポジトリ内の前記オブジェクト識別子にバインドさせるステップと、
を実行しているコンピュータ読み取り可能媒体。
【請求項１７】
前記命令は、異なる複数のラベルタイプを１つのオブジェクト識別子に正規化することを可能にしている請求項１６に記載のコンピュータ読み取り可能媒体。
【請求項１８】
物理的世界に関連する情報を提供するための方法であって、
デバイスを用いてオブジェクトに関連付けされたラベルを検出するステップと、
前記検出したラベルに含まれている情報をオブジェクト識別子となるように正規化するステップと、
前記オブジェクト識別子を使用し、前記オブジェクト識別子にバインドされたコンテンツを発見するように指標テーブルリポジトリをサーチするステップと、
前記コンテンツをレンダリングするステップと、
を含む方法。
【請求項１９】
前記オブジェクト識別子とバインドさせたコンテンツを装置内のローカルメモリから抽出するステップをさらに含む請求項１８に記載の方法。
【請求項２０】
前記オブジェクト識別子とバインドさせたコンテンツをリモートサーバから抽出するステップをさらに含む請求項１８に記載の方法。
【請求項２１】
前記コンテンツがオーディオ、テキスト、グラフィックス、およびビデオからなる群から選択されている請求項１８に記載の方法。
【請求項２２】
前記ラベルが、バーコード、座標、ＲＦＩＤタグ、ＩＲタグ、タイムスタンプ、テキスト列、及び幾つかの変換手段によってその情報をディジタルデータに変換可能であるような任意の他のラベルタイプからなる群から選択されている請求項１８に記載の方法。
【請求項２３】
前記コンテンツがライブエージェントへの接続である請求項１８に記載の方法。
【請求項２４】
現在の時刻を決定するステップと、
前記コンテンツをレンダリングする前に前記現在の時刻をタイムスタンプと比較するステップと、
をさらに含む請求項１８に記載の方法。
【請求項２５】
コンテンツをレンダリングする前記ステップが、前記コンテンツをリモートサーバからストリーミングするステップを含む請求項１８に記載の方法。
【請求項２６】
前記コンテンツをレンダリングした後にアノテーション／フィードバックを受け入れるステップと、
前記アノテーション／フィードバックを前記オブジェクト識別子にバインドさせるステップと、
をさらに含む請求項１８に記載の方法。
【請求項２７】
前記アノテーション／フィードバックをローカルメモリ内に格納するステップをさらに含む請求項２６に記載の方法。
【請求項２８】
前記アノテーション／フィードバックをリモートメモリ内に格納するステップをさらに含む請求項２６に記載の方法。
【請求項２９】
物理的世界に関連する情報を提供するための命令を有するコンピュータ読み取り可能媒体であって、前記命令は、
オブジェクトと関連付けさせたラベルを検出するステップと、
前記検出したラベル内に含まれている情報をオブジェクト識別子となるように正規化させるステップと、
前記オブジェクト識別子を使用し、前記オブジェクト識別子にバインドされたコンテンツを発見するように指標テーブルリポジトリをサーチするステップと、
前記コンテンツをレンダリングするステップと、
を実行しているコンピュータ読み取り可能媒体。
【請求項３０】
前記コンテンツがオーディオ、テキスト、グラフィックス、およびビデオからなる群から選択されている請求項２９に記載のコンピュータ読み取り可能媒体。
【請求項３１】
物理的世界に関連する情報を提供するための方法であって、
オブジェクトと関連付けさせた複数の読み取りラベルを表すオブジェクト識別子を指標テーブルリポジトリ内に格納するステップと、
前記指標テーブルリポジトリを使用し、コンテンツを前記オブジェクト識別子にバインドする、したがって、前記オブジェクトにバインドするステップと、
を含んでおり、
これによって、前記複数のラベルのうちの任意の１つが再生モードで検出されたときに前記コンテンツがレンダリング可能であるような方法。
【請求項３２】
前記複数のラベルのうちの少なくとも１つがすでに、前記オブジェクト上に存在している請求項３１に記載の方法。
【請求項３３】
前記複数のラベルのうちの少なくとも１つを前記オブジェクトに添付するステップをさらに含む請求項３１に記載の方法。
【請求項３４】
前記複数のラベルが、バーコードラベル、座標、ＲＦＩＤタグ、ＩＲタグ、タイムスタンプ、テキスト列、あるいは幾つかの変換手段によってその情報をディジタルデータに変換可能であるような任意の他のラベルタイプからなる群から選択されている請求項３１に記載の方法。
【請求項３５】
前記複数のラベルを検出するステップさらに含む請求項３１に記載の方法。
【請求項３６】
物理的世界に関連する情報を提供するための方法であって、
１つまたは複数のラベルをツアー内の複数のオブジェクトの各々に関連付けするステップと、
前記ツアー内の前記複数のオブジェクトの各々と関連付けさせた前記１つまたは複数のラベルを表すオブジェクト識別子を指標テーブルリポジトリ内に格納するステップと、
前記ツアー内の前記複数のオブジェクトの各々に関連するコンテンツをオーサリングするステップと、
前記ツアー内の前記複数のオブジェクトのうちの関連する１つに対応するように前記コンテンツを前記指標テーブルリポジトリ内のオブジェクト識別子とバインドするステップであって、これによって前記コンテンツは、前記ラベルが再生デバイスによって検出されたときに前記コンテンツがオーサリングを受けた順序と無関係にレンダリング可能であるようなバインドステップと、
を含む方法。
【請求項３７】
前記ラベルが、座標、バーコードラベル、ＲＦＩＤタグ、ＩＲタグ、タイムスタンプ、テキスト列、及び幾つかの変換手段によってその情報をディジタルデータに変換可能であるような任意のラベルタイプからなる群から選択されている請求項３６に記載の方法。
【請求項３８】
物理的世界に関連する選択したディジタルマルチメディア情報をオーサリングしかつ抽出するためのシステムであって、
前記物理的世界と関連する複数のマシン読み取り可能なラベルと、
前記マシン読み取り可能なラベルを検出するための、前記検出したラベル内に含まれている情報をオブジェクト識別子になるように正規化するためのプログラミングを含んだ装置と、
前記オブジェクト識別子によって指標付けしたコンテンツを格納している、前記装置によりアクセス可能なディジタルマルチメディアコンテンツ・コレクションと、
を備えるシステム。
【請求項３９】
前記装置がさらに、前記ディジタルマルチメディアコンテンツ・コレクションの内部に格納され、かつ前記オブジェクト識別子に対して曖昧さなくバインドされる前記複数のラベルのうちの１つの検出に応答してディジタルマルチメディアをオーサリングするためのシステムを備えている請求項３８に記載のシステム。
【請求項４０】
前記装置がさらに、前記複数のラベルのうちの１つの検出に応答してディジタルマルチメディアをレンダリングするためのシステムであって、このレンダリングさせたディジタルマルチメディアが、検出されるラベルと関連付けさせたオブジェクト識別子に対して曖昧さなくバインドさせたコンテンツであるようなシステムを備えている請求項３９に記載のシステム。
【請求項４１】
前記ディジタルマルチメディアコンテンツ・コレクションが、オーディオファイル、視覚的グラフィックスファイル、テキストファイル、ビデオファイル、ＸＭＬファイル、ハイパーリンクレファレンス、ライブエージェント接続リンク、プログラミングコードファイル、および構成情報ファイルのうちの１個または複数個を含んでいる請求項４０に記載のシステム。
【請求項４２】
前記装置が、該装置の出力能力の関数としてディジタルマルチメディアをレンダリングさせるプログラミングを備えている請求項４０に記載のシステム。
【請求項４３】
前記ツアーが前記装置の外部にある１つまたは複数のコンピュータサーバ上に格納されている請求項３８に記載のシステム。
【請求項４４】
前記ツアーおよび前記装置が有線式ネットワークを介して通信している請求項４３に記載のシステム。
【請求項４５】
前記ツアーおよび前記装置がワイヤレスネットワークを介して通信している請求項４３に記載のシステム。
【請求項４６】
前記ワイヤレスネットワークが携帯電話ネットワークを備えている請求項４５に記載のシステム。
【請求項４７】
前記ツアーが前記装置上に常駐している請求項３８に記載のシステム。
【請求項４８】
前記装置がインターネットを介して前記ツアーにアクセスしている請求項３８に記載のシステム。
【請求項４９】
前記装置が音声ポータルを介して前記ツアーにアクセスしている請求項３８に記載のシステム。
【請求項５０】
前記装置が携帯電話音声メールボックスを介して前記ツアーにアクセスしている請求項３８に記載のシステム。
【請求項５１】
前記ディジタルマルチメディアがツアーとなるように集合されている請求項３８に記載のシステム。
【請求項５２】
前記ディジタルマルチメディアが前記装置によってランダムにアクセス可能である請求項３８に記載のシステム。
【請求項５３】
前記ディジタルマルチメディアが前記装置によって順次式にアクセス可能である請求項３８に記載のシステム。
【請求項５４】
前記装置がパーソナルディジタルアシスタントを備える請求項３８に記載のシステム。
【請求項５５】
前記装置が携帯電話機を備える請求項３８に記載のシステム。
【請求項５６】
前記装置が、ある特定のアプリケーションを目的とした特定用途向けに作られたデバイスを備える請求項３８に記載のシステム。
【請求項５７】
物理的世界に関連する情報をオーサリングするための装置であって、
オブジェクトと関連付けさせたラベルを検出するための回路と、
前記検出したラベルによる表出に従って前記オブジェクトに対して曖昧さなくバインドさせようとするコンテンツをオーサリングするためのシステムであって、該コンテンツはラベル検出の間に再生モードでレンダリングさせているようなシステムと、
を備える装置。
【請求項５８】
前記回路がバーコード読み取り装置を備える請求項５７に記載の装置。
【請求項５９】
前記回路がＩＲタグ読み取り装置を備える請求項５７に記載の装置。
【請求項６０】
前記回路がＲＦＩＤタグ読み取り装置を備える請求項５７に記載の装置。
【請求項６１】
前記回路が文字情報を入力するためのキーボードを備える請求項５７に記載の装置。
【請求項６２】
前記回路がアナログ対ディジタルの情報変換器を備える請求項５７に記載の装置。
【請求項６３】
物理的世界に関連する情報をオーサリングして提供するための装置であって、
オブジェクトと関連付けさせたラベルを検出するための回路と、
前記検出したラベル内に含まれている情報をオブジェクト識別子になるように正規化するためのプログラミングと、
コンテンツをオーサリングモードでオーサリングするためのシステムであって、該コンテンツは前記オブジェクト識別子に対して曖昧さなくバインドされたシステムと、
コンテンツを再生モードでレンダリングさせるシステムであって、レンダリングさせるコンテンツは検出されるラベルと関連付けさせた前記オブジェクト識別子に対して曖昧さなくバインドされたコンテンツであるようなシステムと、
を備える装置。
【請求項６４】
さらに、オーサリングさせるコンテンツをリモート位置にダウンロードするため、ならびに前記リモート位置からレンダリングさせるコンテンツを抽出するための通信リンクを備える請求項６３に記載の装置。
【請求項６５】
さらに、前記コンテンツを格納するためのメモリを備える請求項６３に記載の装置。
【請求項６６】
前記回路がバーコード読み取り装置を備える請求項６３に記載の装置。
【請求項６７】
前記回路がＩＲタグ読み取り装置を備える請求項６３に記載の装置。
【請求項６８】
前記回路が座標位置を決定している請求項６３に記載の装置。
【請求項６９】
前記回路がＲＦＩＤタグ読み取り装置である請求項６３に記載の装置。
【請求項７０】
前記回路がアナログ対ディジタルの情報変換器である請求項６３に記載の装置。
【発明の詳細な説明】
【技術分野】
【０００１】
本発明は、全般的には情報システムに関し、詳細には、物理的世界に関連する情報をオーサリングして提供するためのシステムおよび方法に関する。
【背景技術】
【０００２】
インターネットの指数関数的な成長は、３つの要因によって推進されており、これら３つとはすなわち、この新規メディア向けにコンテンツを容易にオーサリングできる能力と、コンテンツ編集のための単純なテキスト列ベースの（たとえば、ユニフォームリソースロケータ（「ＵＲＬ」）ベースの）指標付けスキームと、オーサリングさせたコンテンツに対するアクセスの容易さ（たとえば、単にハイパーリンク上でのマウスクリックによるなど）とである。しかし、モバイルデバイスの利用空間においてこのインターネットの成功に倣おうとするためになされた試みは、今のところあまり成功していない。このモバイルデバイス利用空間とは、我々が生活している全体の物理的世界であり、またこの物理的世界は、オブジェクトのすべてがバーチャルであるような係留型のパーソナルコンピュータ（「ＰＣ」）ベースのインターネット世界と異なり、現実のオブジェクト、地理的位置、および時間的イベントから構成されており、これらは単独で、あるいはオブジェクトや位置と関連して発生している。これらの多様性によって、すべてのバーチャルオブジェクトに対してＵＲＬによって一律にアドレス付けすることができるような既存のインターネット世界内には存在しないような問題が提起される。
【０００３】
物理的オブジェクトのドメインあるいは地理的位置のドメインなど、ただ１つのドメインのみに対するシームレスな閲覧を可能にしているようなアプリケーションを構築しようとする試みがなされてきた。さらに、オブジェクトと位置に対する一緒の閲覧を処理しようとの試みがなされてきた。しかし、これらの試みでは、インターネットを今日ある姿（すなわち、情報配布のための最も効率のよいメディア）に育て上げた、上で言及した基本要因に対する対処がうまく行かない。詳細には、これらの試みでは、ラベル付け問題、すなわち、異なるラベル付けスキームにわたり異なる形式の情報を解釈することに、効果的に対処できていない。このことは、物理的世界に特有の問題であり、バーチャル世界内のすべてのコンテンツに対してＵＲＬによってアドレス付けできるようなＰＣベースのバーチャル閲覧方法では存在しない問題である。さらにこれらは、（大部分のモバイルデバイス利用状況に関してオンデバイスのコンテンツオーサリングが最も自然で、効率がよく、かつエラーフリーの方法である場合に主たる欠点となるような）デバイス上でのコンテンツオーサリングなど、これらの異なるラベルのタイプに対してバインドさせた（bound）コンテンツに対するオーサリングに対応しておらず、また異なるラベル付けスキームによって指標付けしたコンテンツに対する再生にも対応していない。
【０００４】
これら外見上異種のアプリケーションドメインのすべてを包含しているようなシームレスなモバイル閲覧を可能にするためには、これらの欠点に対処する必要がある。ラベル付けおよびコンテンツバインド用のスキームが存在しないため、オブジェクトに対するカスタマイズ式ラベル付けを行うこと、ならびにこうしたラベルにコンテンツをバインドさせることは、極めて困難となる。アノテーション（annotation）／フィードバック・バインド用のスキームが存在しないため、コンテンツとアノテーション／フィードバックの間で対応関係を維持することが極めて困難となる。位置ベースの、オブジェクトベースの、イベントベースの、ならびに従来のウェッブハイパーリンクベースのサービスに対するシームレスな橋渡し（ｂｒｉｄｇｉｎｇ）が存在しないためこれら異なるドメインに対するナビゲーションのためには異なるデバイス／アプリケーションが必要となる。
【０００５】
モバイルデバイス空間には４つの個別のアプリケーションドメイン（すなわち、オブジェクトベースのデバイスおよびアプリケーション、座標ベースのデバイスおよびアプリケーション、時間ベースのデバイスおよびアプリケーション、ならびに従来のＵＲＬベースのデバイスおよびアプリケーション）が存在する。オブジェクトベースのデバイスは、バーコード、無線周波数識別（「ＲＦＩＤ」）または赤外線（「ＩＲ」）タグを介して物理的オブジェクトからラベルを読み取ることができ、また典型的には、ユーザがこれらのデバイスを使用して関心対象オブジェクトをスキャンするような積極関与（プロアクティブ）方式で使用される。これらのデバイスは、ウェッブブラウザを使用したインターネットのサーフィンと同様の方式で物理的オブジェクトの世界を閲覧することを支援しようとするものである。座標ベースのアプリケーションドメインは、全地球測位システム（「ＧＰＳ」）、衛星信号が弱いことがある場合のＡｓｓｉｓｔｅｄ−ＧＰＳ（「Ａ−ＧＰＳ」）、ａｎｇｌｅ  ｏｆ  ａｒｒｉｖａｌ（「ＡＯＡ」）システム、あるいはｔｉｍｅ  ｄｉｆｆｅｒｅｎｃｅ  ｏｆ  ａｒｒｉｖａｌ（「ＴＤＯＡ」）システムに基づくさまざまな位置検出スキームを通じて利用可能となるような地理的位置に関する知見を利用している新規開発のドメインの１つである。ＰＣ世界における既存のアプリケーションドメインの１つ（たとえば、タイムラインベースの情報提示）も同様に、モバイルデバイス空間への進出を目指している。しかし、これらの異なるアプリケーションドメイン間をぼぼシームレスでトランスペアレントな方式で橋渡しできるようなデバイスやアプリケーションは目下のところ存在していない。
【０００６】
デバイス読み取り可能なオブジェクトや位置識別子を利用したポータブル対話式ディジタル情報システムの分野では、幾つかのシステムが知られている。たとえば、米国特許第６，１２２，５２０号は、ナブスター全地球位置把握システムなどの測位システムを分散型ネットワークと組み合わせて使用している位置情報システムについて記載している。このシステムは、ＧＰＳデバイスから座標エントリを受け取っており、またこの座標は対応する位置指定情報の抽出のために分散型ネットワークに伝送される。位置識別情報を供給するためには、ＧＰＳシステム以外にも、バーコード、ラベル、赤外線ビーコン、およびその他のラベル付けシステムを使用することができる。しかし、このシステムは、カスタマイズ式ラベル付け、ラベルタイプの規格化、および一律なラベル指標付けなど物理的世界に特徴的な基本課題に対処していない。さらに、このシステムは、ツアー様のパラダイム（すなわち、メディアコンテンツを論理的な集合となるように分類させたものである「ツアー（ｔｏｕｒ）」）を企図していない。
【０００７】
米国特許第５，９３８，７２１号は、そのタスクを位置座標によって指標付けしているようなモバイルコンピュータシステムに対するアクセスが可能なタスク記述データベースについて記載している。このシステムは、座標ベースのラベル付け、座標ベースのコンテンツオーサリング、および座標起動式のコンテンツ再生という考え方をもっている。このシステムの欠点は、このシステムではコンテンツを再生する際に使用されるデバイスの能力に制約を課していることである。したがって、このシステムは、コンテンツを複数のラベルタイプに合わせてオーサリングさせてバインドすること、すなわちツアーの考え方に対応することができないという点において不十分である。
【０００８】
米国特許第６，１６９，４９８号は、位置指定のメッセージがポータブルデバイス内に格納されているようなシステムについて記載している。各メッセージは、施設内のある具体的な地理的位置において対応する１つのデバイス読み取り可能な識別子を有している。このシステムの利点は、ユーザが位置指定情報にランダムにアクセスできることである。このシステムの欠点は、ある位置における個々のオブジェクトに関する細分性（ｇｒａｎｕｌａｒｉｔｙ）がより高い情報を提供できないことである。この最小単位は「サイト（ｓｉｔｅ）」（施設のうちのある特定のエリア）である。このシステムの別の欠点は、ポータブルデバイスのユーザが受け身の立場にあり、既存の識別子コードおよびメッセージからしか選択できないことである。ユーザは、識別子を能動的に作成することができず、また関連するメッセージの作成やアノテーションもすることができない。このシステムではさらに、意味のあるコレクションとなるようにオブジェクトを編集する必要性に対処できていない。さらに別の欠点は、このシステムが屋内の施設の内部で使用することを目的としたものであり、屋外の位置に対処しないことである。
【０００９】
米国特許第５，７９６，３５１号は、展示オブジェクトに関する情報を提供するためのシステムについて記載している。このシステムは、目標とする展示オブジェクトから識別コードを読み取っているワイヤレス端末を利用している。一方この識別コードは、データベースシステム内でそのオブジェクトに関する情報をサーチするために使用される。オブジェクトに関するこの情報は、ポータブルワイヤレス端末上でユーザに対して表示される。記載されているこのシステムはオブジェクトおよびワイヤレス・ローカルエリアネットワークに対して割り当てられる一意の識別コードを使用しているが、得られるシステムは１つの閉鎖システムである、すなわちすべてのデバイス、オブジェクト、ポータブル端末、ホストコンピュータ、および情報コンテンツがその施設によって制御されていると共に、その施設の境界の内部でのみ動作可能である。
【００１０】
米国特許第６，０８９，９４３号は、その各々がある書籍内の視覚的メッセージと個々に関連付けされている多数のバーコードをスキャンするためにバーコードスキャナを備えているぬいぐるみ玩具について記載している。この玩具内にあるデコーダおよびオーディオ装置は、スキャンを受けたバーコードと関連付けさせた書籍内の視覚的メッセージに対応して音響メッセージを発生させている。このシステムに関する最も重大な欠点の１つは、この装置自体でコンテンツをオーサリングすることができないことである。このため、この装置向けにオーサリングさせるコンテンツを作成しようとするものにとって厄介となる、すなわち、コンテンツをオーサリングするために別の手段に頼らなければならない。このことによりさらに、オーサリングしたコンテンツ、オブジェクト識別子、および物理的オブジェクトとの関連付けを維持しかつ把握することがより困難となる。
【００１１】
米国特許第５，４８０，３０６号は、入力メディアとして光学式識別子を利用している言語学習の装置および方法について記載している。このシステムでは、既成のスキャナを光学式コードインタプリタおよび再生装置と一緒に使用することが必要である。このシステムではさらに、ある特定のバーコードを選択すること、ならびにこの選択したコードの個々の値に対して単語およびセンテンス間での割り当てを定義することが必要である。このシステムの欠点は、別々の２つの装置に関する要件によって幾つかの利用状況において極めて扱いにくくなること、ならびにディジタルコードとアルファベットおよび単語との間で面倒な割り当てを実施する必要があることである。
【００１２】
米国特許第５，３１４，３３６号は、その光学的な検知によるメッセージを表すオーディオ出力を提供している玩具および方法について記載している。この装置は、上に指摘した特許の幾つかと同じ欠点、特にコンテンツオーサリングの欠点を有している。
【００１３】
米国特許第４，３７５，０５８号は印刷されたコードを読み取り、このコードを音響信号に変換するための装置について記載している。このシステムの基本的な欠点は、これが記録済みのオーディオの再生に対応していないことである。さらに、上で指摘した特許のうちの幾つかと同じ欠点も有している。
【００１４】
米国特許第６，０９１，８１６号は、ＧＰＳを用いてある具体的な記録が行われた位置を決定することによってユーザが持ち歩くオーディオ専用記録装置が音響信号を受け取る時間および位置を指示するための方法および装置について記載している。このシステムの趣旨は、装置上での連続した再生のためのバインド処理、あるいはフィードバックやアノテーションバインド処理を用いるのとは異なり、この位置を純粋に、記録が実施された場所を知るための手段として使用することにある。さらに、このシステム内でのタイムスタンプの利用では、タイムスタンプを特殊な時間的イベント再生のための起動子として使用することや、タイムスタンプをオブジェクト、座標、およびラベルとバインドさせることを企図していない。
【００１５】
いずれも参照によりその全体を本明細書に組み込むものとする上に列挙した特許以外に、その共通の目的が印刷された物理的世界情報をバーチャルのインターネットＵＲＬにリンクさせることであるような別のシステムも市販されている。より具体的には、これらのシステムはＵＲＬを独自のバーコードにエンコードしている。ユーザはカタログ上のバーコードをスキャンすると、そのウェッブブラウザがこの与えられたＵＲＬに合わせて起動される。これらのシステムの利点は、これらシステムによって物理的世界をインターネットの豊富な情報源にリンクできることである。これらのシステムの欠点は、このＵＲＬがバーコードにおいて直接エンコードされているため修正することができず、物理的オブジェクトとディジタルのＵＲＬ情報の間に一対一の対応関係が存在していることである。
【００１６】
別の従来のシステムでは、インターネット上での商品の照会や価格比較のために標準の統一商品コード（「ＵＰＣ」）のバーコードスキャンを使用している。このシステムの利点は、独自のスキャナデバイスが不要であること、またハードコード式の直接的ＵＲＬリンクではなくコードを情報と対応させる際に間接方式を存在させていることである。しかしながら、上述したシステムのすべてでは、不都合にも各オブジェクト（すなわち、各バーコード）を個別のアイテムとして取り扱っており、同じ位置にある複数の物理的オブジェクトの間に論理的関係を生成させる手段を提供していない。これらのシステムの別の欠点は、ユーザが個人版の情報を生成させたり、フィードバックを提供することができないことである。
【発明の開示】
【発明が解決しようとする課題】
【００１７】
したがって、オブジェクト、位置および時間的イベントに対するラベル付けに対処しているスキーム、これらの異なるラベルを基本的なラベル付け方法に対して一律かつトランスペアレントに取り扱うような指標付け方法を有するスキーム、これらの異なる物理的世界実体要素に関してコンテンツをシームレスにオーサリングしそのコンテンツを指標とバインドさせるのに役立つスキーム、ならびに任意の現実世界の実体要素（たとえば、物理的オブジェクト、位置および／または時間的イベント）に関してオーサリングさせたコンテンツに対する容易なアクセスおよび再生を提供することができるようなスキームに対する必要性が存在している。
【課題を解決するための手段】
【００１８】
この必要性に対処し、関連する技術において記載した欠点を克服するために、物理的世界に関連する情報をオーサリングして提供するための方法の形、ならびにこうした方法を利用している装置およびシステムの形で本発明の考え方を具現化している。バーコード、ＲＦＩＤタグ、ＩＲタグ、位置座標、およびタイムスタンプなど（ただし、これらに限らない）の１つまたは複数のラベルを読み取ることが可能であるような、これらのラベルに関連するメディアコンテンツをオーサリングして再生するためのハンドへルド型デバイスを利用することが好ましい。オーサリングモードでは、オブジェクト、位置、時間的イベント、およびテキスト列を表しているラベルを識別し、オブジェクト識別子に変換しており、このオブジェクト識別子は次いで、オーサリングによって当該オブジェクト識別子に関して記録させるメディアコンテンツとバインドさせている。メディアコンテンツはツアーと呼ぶ論理的な集合にするように分類することができる。ツアーとは、オブジェクト識別子によって指標付けしたマルチメディアディジタルコンテンツからなる集合と考えることができる。再生モードでは、コンテンツを上で言及したラベル（バーコード、ＲＦＩＤタグ、位置座標、など）のうちの１つが読み取られ、かつその生成されたオブジェクト識別子がツアー内にあらかじめ格納されている識別子のうちの１つを一致した場合にそのオーサリング済みが再生される。本システムはさらに、オーディオ、テキスト、グラフィックス、およびビデオアノテーションを記録し、アクセスを受けたオブジェクト識別子とバインドさせることが可能である。アクセスを受けたオブジェクト識別子に対するこのバインド処理はさらに、オブジェクト上でユーザによって提供される任意のオーディオ、テキスト、グラフィックス、またはビデオフィードバックに関して実施される。
【００１９】
本発明に関する上述およびその他の特徴および利点は、本発明の好ましい実施形態に関する以下のさらに具体的な説明、添付の図面、ならびに本特許請求の範囲から明らかとなろう。
【００２０】
本発明、ならびに本発明の目的および利点に関するより完全な理解を得るために、ここで添付の図面と関連して取り上げた以下の説明を参照することにする。
【発明を実施するための最良の形態】
【００２１】
本発明の好ましい実施形態およびこれらによる利点は、同じ参照番号が同じ要素を示している図１〜１２を参照することによって理解することができ、またこれについては、ユーザの周辺の物理的世界に関する情報をオーサリングしてユーザに提供するための包括的なデバイス、システム、および方法のコンテキストにおいて記載している。この点において、本発明は一般に、物理的オブジェクト上でマシン読み取り可能なラベルまたは人間に識別可能なラベル、空間的位置や地理的位置を表している座標ラベル、ならびに内部または外部のクロック源によって生成させるタイムスタンプの形式とさせることが好ましい時間ラベルなど（ただし、これらに限らない）のラベルとの相互作用を介して情報を提供している。すべてのラベルは、オブジェクト、位置、または時間識別子として一律に取り扱われている、すなわち、各ラベルはオブジェクト、位置、または時間的イベントを識別する役割をしている。本開示を簡略化するために、オブジェクト識別子という用語を使用してオブジェクト、位置、あるいは時間識別子を一括して指し示している。これらのオブジェクト識別子は、より具体的には、システム内において、以下でより詳細に記載することにするような方式によって、コンテンツのオーサリングおよび再生、ならびにユーザのアノテーション(annotation)およびフィードバックなどのさまざまな指標付け操作を実行するために使用している。本発明はさらに、単一のアドレス可能なデータベースまたは情報ライブラリ（これ以降において「ツアー」と呼ぶ）とするようにオブジェクト識別子とこれらに関連付けされたコンテンツとを集合させることができる。
【００２２】
物理的世界に関する情報をユーザに提供するための包括的なシステムおよび方法を提供するため、ならびにユーザが物理的世界に関するユーザ自身の印象を記録できるようにするために、本システムは、２つのモード、すなわち、オーサリングモードと再生モードで動作することが好ましい。オーサリングモードは、新たなメディアコンテンツ（たとえば、オーディオ、テキスト、グラフィックス、ディジタル写真、ビデオ、およびさまざまな別のタイプのデータファイル）を記録させ、かつオブジェクト識別子とバインドさせることを可能にしている。オーサリングモードでは、本システムは、オブジェクト識別子生成と同時に実施できるようなコンテンツオーサリング処理に対応しており、これによって、オーサリング済みのメディアコンテンツをオブジェクト識別子に対して曖昧さなくバインドさせることができる。換言すると、物理的オブジェクト、位置またはタイムスタンプのラベルとそれぞれのメディアコンテンツとの間で直接的な対応関係を維持している。再生モードは、オブジェクト識別子がアクセスまたは検出を受けたときにメディアの再生を起動させている。再生モードでは、本システムはさらに、ユーザからのアノテーションおよび／またはフィードバックを記録させさらにオブジェクト識別子に対して曖昧さなくバインドさせるように受け入れる、または促すようにプログラムすることもできる。アノテーションおよびフィードバックは発生したオブジェクトに対するユーザの応答の形式とすることがある。ユーザは一般にアノテーションに対する権利を所持すなわち保持しており、一方フィードバックはフィードバックを要求した人により所持されることが典型的であることにおいて、アノテーションとフィードバックとの違いはかなり小さいものである。さらに、フィードバックは、ユーザが一連の質問に応答するなどの対話式とすることがある。
【００２３】
以下の説明は、本発明を実施させることができる適当なコンピュータ処理環境に関する一般的な概要を提供することを意図している。必ずしもこのようにする必要はなくまたこれらに限定するものではないが、コンピュータ実行可能な命令が１つまたは複数の分散型コンピュータ処理デバイスによって実行されているというコンテキストで本発明を記載している。これらコンピュータ実行可能な命令としては、特定のタスクを実行したり、データタイプを実現しているようなルーチン、プログラム、オブジェクト、コンポーネント、データ構造、その他を含むことができる。さらに、本発明は、ハンドへルド型デバイス、音声または音声／データが有効な携帯電話機、スマートホン（ｓｍａｒｔ−ｐｈｏｎｅ）、ノート型コンピュータ、コンピュータ処理タブレット、ウェアラブルコンピュータ、パーソナルディジタルアシスタント（「ＰＤＡ」）、または特殊な特定用途向けに作られたデバイス（ただし、これらに限らない）などのポータブルコンピュータ処理デバイスの実現を通じてモバイルユーザによって動作させることができる。これらのデバイスの構成は、ワイヤレスネットワークインタフェースを有するようにも、ワイヤレスネットワークインタフェースを有しないようにも構成させることができる。本発明の考え方は、好ましくはワイヤレス通信ネットワークを介してリンクさせているコンピュータ処理デバイスによってタスクを実行しているような分散型コンピュータ処理環境において実現させることができ、この際コンピュータ実行可能な命令は、ローカルとリモートの両方のメモリ記憶デバイスに配置させることができる。
【００２４】
本発明の好ましい実施の一形態では、図１は、ツアーサーバ側をワイヤレス分散ネットワーク１１５を介してクライアント側に結合させているようなネットワークアーキテクチャ内のポータブルコンピュータ処理デバイス１０５を表している。ワイヤレス分散ネットワーク１１５は音声／データ携帯電話ネットワークとすることが好ましいが、当業者であれば、別の形態のネットワークも使用できることは明らかであろう。たとえば、このネットワークは、たとえば、ワイヤレス・ローカルエリアネットワーク（「ＷＬＡＮ」）やパーソナル・ローカルエリアネットワーク（「ＷＰＡＮ」）などにおける無線周波数（「ＲＦ」）、８０２．１１標準、およびブルートゥースなど（ただし、これらに限らない）に基づいたワイヤレス伝送ネットワークを使用することができる。
【００２５】
このネットワークのクライアント側においてワイヤレス分散ネットワーク１１５に対して、物理的世界内の１つまたは複数のオブジェクト１０７の間を移動するように屋内および／または屋外位置を動き回ることがある１人または複数人のモバイルユーザを接続させている。さらに詳細には以下に記載することにするが、物理的世界の位置１０８および／またはオブジェクト１０７は、バーコードラベル、ＲＦＩＤタグ、ＩＲタグ、ブルートゥース読み取り可能タグ、アナログ対ディジタルの変換可能タグなどマシンにより読み取り可能なまたは識別可能な１つまたは複数のオブジェクト識別子によって表すことができ、かつ／またはこれらは人間による識別が可能なテキスト、位置座標、およびタイムスタンプと関連付けさせることができる。モバイルデバイス１０５上で内部クロック１０９が発生させるタイムスタンプは、それ自体でラベルの役割をすることが可能であるか、あるいは１つのオブジェクトまたは１つの場所にバインドさせたメディアコンテンツに対する限定子と見なすことが可能である。単に一例として、タイムスタンプによって権限を与えられるメディアコンテンツは、その冬季情報が夏季情報と異なる可能性があるような山岳リゾート位置に関する情報とすることも可能である。
【００２６】
たとえば、緯度、経度、および任意選択では高度を表している位置座標１０８は、ＧＰＳ衛星やその他の送信元から送信された信号を用いてモバイルデバイスと結合させた位置決定ユニットによって決定される。別の実施形態では、そのモバイルデバイスの位置は、別の従来の位置決定スキームによって決定されている。さらに別の代替的実施形態では、その位置座標は、リモートサーバによって提供することが可能であり、またこうしたデータを必要とする任意のモバイルデバイスは、ネットワーク式リモートサーバからの位置データ要求を受け取ることができる。このことは、モバイルデバイスが位置識別能力を有しない場合や、ＧＰＳ衛星信号が遮蔽されている屋内施設にいる場合において特に有用である。
【００２７】
オブジェクト識別子を読み取るために、パーソナルモバイルデバイス１０５は、位置座標１０８や物理的オブジェクト１０７に取り付けたラベル１０６に応答するように適合させた取り込み回路１１０を備えている。取り込み回路１１０は、バーコード読み取り装置、ＲＦＩＤ読み取り装置、ＩＲポート、ブルートゥース受信器、ＧＰＳ受信器、タッチトーン式キーパッド、ラベル情報をディジタルデータに変換することができる任意のアナログ対ディジタル変換器、あるいはこれらの任意の組み合わせを備えることがある。ネットワーク式環境では、パーソナルモバイルデバイス１０５は、このネットワークのサーバ側で格納および計算処理が実施されている間に、入力能力および出力能力を備えたシンクライアントまたはアプレットクライアントシステム１０４を動作させている。このクライアントシステムは、ワイヤレスアプリケーションプロトコル（「ＷＡＰ」）ブラウザ、マイクロソフトモバイルエクスプローラ（登録商標）、その他などのワイヤレスブラウザソフトウェアアプリケーションを含むことができ、また、ＷＡＰやハイパーテキスト転送プロトコル（「ＨＴＴＰ」）ベースのサーバ（ただし、これらに限らない）などの当技術分野でよく知られている任意のタイプのサーバ上で実現させた通信プロトコルに対応することができる。
【００２８】
ネットワーク式環境では、ツアー１０３は、リモートサーバ１１４とモバイルデバイス１０５の間の経路１１３を介してワイヤレスネットワーク１１５によって伝達される。ツアーアプリケーション１０４を電話機によって実現させているような特定のケースでは、そのアプリケーションは音声拡張可能なマーク付け言語（「ＶｏｉｃｅＸＭＬ」）ブラウザのコンテキストにおけるリモート式と、デバイス上におけるローカル式との両方で動作させることができる。指標テーブルリポジトリ１１６は、より詳細には以下において記載することにするが、ローカルに常駐させるか、データ経路１１２を介してリモートでアクセスを受けるかのいずれとすることもできる。同様に、オブジェクト識別子と関連付けさせたマルチメディアコンテンツコレクションは、ローカルでデバイス上に常駐させることや、コンテンツプロキシ１１７の支援によって経路１１３を介してダウンロードするかストリーミングするかのいずれとすることもできる。
【００２９】
別の実施形態では、有線式ネットワークによってワイヤレスネットワークの全部または一部の代用とさせることができる。たとえば、ツアー１０３の転送は、モバイルデバイス１０５とリモートサーバ１１４の間のモデム接続（図示せず）や、データ経路１０２および１０１を用いて中間システム１００を使用した間接式で実現させることができる。さらに、ツアーはクライアントオーサリングシステム１００を用いてホストコンピュータ上でオーサリングを受け、さらにデータ経路１０１を用いてデバイスに転送させるか、データ経路１０２を用いてその後に続いて別のモバイルデバイスにダウンロードさせるようにサーバにアップロードさせるかのいずれかとすることができる。有線式接続を介してモバイルデバイスからホストコンピュータにツアーを転送させる別の例について以下で詳細に記載する。
【００３０】
リモートサーバ再生のケースでは、サーバ１１４とモバイルデバイス１０５の間の接続は、全体のツアーの持続時間にわたって保持している必要はない。たとえば、サーバはそのツアー内の最終のレンダリング位置の状態を、必要に応じて接続の再確立を可能としている複数の間欠的接続にわたって維持することができる。この状態の維持によって、ユーザがユーザ名／パスワードによって再度ログインする必要がなくなるだけではなく、ユーザを直ちにツアーの最終位置に戻すことができる、このことはコンパクトディスク（「ＣＤ」）プレーヤがＣＤ上の最後に再生したトラックを覚えているのとよく似ている。モバイルデバイス１０５が適当に適合させた携帯電話機である場合、サーバは発呼者の電話番号を使用してユーザが入った最後のツアーを識別している。発呼者の電話番号が識別できないような状況の場合、ユーザはユーザ名とパスワードを入力するように促され、最後のツアーコンテキストに直ちに導かれることになる。この機能によって接続時間コストの節約になるだけでなく、ＶｏｉｃｅＸＭＬを用いて駆動方向を提供するように実施させているツアーなどのある種のアプリケーションにとって効果的となる。
【００３１】
ツアーのオーサリングおよび公開の目的のため、モバイルデバイス１０５は、経路１０１を介してモバイルデバイスをホストコンピュータ１０１に直接接続できるようにするためのユニバーサルシリアルバス（「ＵＳＢ」）コネクタを備えている。パーソナルモバイルデバイスがＵＳＢコネクタを有していないような別の実施形態では、ホストコンピュータへのツアーのアップロードは、ＰＣのマイクロフォン入力に接続したオーディオヘッドホン出力などの従来のデータ出力を用いて実現することができる。こうしたスキームによって再記録過程において若干のオーディオ品質の劣化を生じさせることがあるが、貴重なコンテンツのＰＣ上への安全のためのバックアップの役割をすることになる。「アップロード再生モード」と呼ばれるある具体的なデバイスモードで連続式再生を開始すると、人間の話し声と衝突しないようにその周波数を選択した特殊な音の形でツアーの指標値が送信される。ＰＣ上で動作する特殊なソフトウェアはコンテンツ間の英数字の指標区切り記号を認識してツアーを再生させている。この英数字指標値は、タイムスタンプ、バーコード値、または座標などの正規化したラベル値を表すことも可能である。
【００３２】
あるツアーと関連付けさせた１つのオブジェクト識別子または複数のオブジェクト識別子に関連するメディアコンテンツに対してオーサリングおよび／または再生を提供するために、パーソナルモバイルデバイス１０５（この例を図１０〜１２に表している）は、バーコード情報、ＲＦＩＤ情報、ＩＲ情報、直接的または直接的な（アナログ対ディジタル変換器から得る）テキスト入力、地理的座標情報、および／またはタイムスタンプ情報を読み取るように（これらに応答するように）適合させたオブジェクトラベルデコード回路１００２を含むことが好ましい。このオブジェクトラベルデコード回路１００２は、パーソナルモバイルデバイス１０５上に常駐しているツアーアプリケーション１００４に対して入力を提供している。このツアーアプリケーションは、より詳細には以下において記載することにするが、一般にこの入力に対して、オブジェクトラベル読み取り値の関数としたメディアコンテンツに対するオーサリングまたはレンダリングを開始させるように応答する。メディアコンテンツを再生させるために、パーソナルモバイルデバイス１０５は、ディスプレイ１００８と関連付けさせたビデオデコーダ１００６と、スピーカ１０１２と関連付けさせたオーディオデコーダ１０１０とを備えている。ディスプレイ１００８は、液晶表示画面などの視覚的ディスプレイとすることができる。別の実施形態では、そのデバイスは視覚的ディスプレイを伴わずに機能することができる。
【００３３】
オブジェクト識別子に対してバインドさせることができる情報を入力するために、パーソナルモバイルデバイス１０５は、たとえば、キーボード１０１４、ペンの形態をしたポインティング・デバイス（図示せず）、ディスプレイ１００８の一部分であるようなタッチ検知スクリーンを介して文字情報を入力するための手段、たとえばビデオ符号器１０１６やビデオ入力１０１８を介してビデオ情報を入力するための手段、および／または、たとえばオーディオ符号器１０２０とマイクロフォン１０２２あるいは電話機向けのデュアルトーンマルチフリーケンシー型（「ＤＴＭＦ」）ボタン（図示せず）などのタッチトーン式ボタンを介してオーディオ情報を入力するための手段を備えている。
【００３４】
図１１を参照すると、パーソナルモバイルデバイス１１００は、再生／停止１１０１、記録１１０３、後進１１０５、高速前進１１０４、ボリューム制御１１１０などのメディアコンテンツ制御キーを備えており、またメディアコンテンツと対話する際に使用するために別のさまざまな操作器を設けることができる。この方式では、このさまざまな制御キーを使用してある種のデバイスモード、特に再生モードにおいて、ハードウェアボタンシールド、デバイスモード選択器、または組込型のソフトウェアロジックを用いてデバイス機能を選択的に無効にすることができる。パーソナルモバイルデバイス１１００はさらに、オーディオ入力（たとえば、マイクロフォン１１０２）、オーディオ出力（たとえば、スピーカ１１０６やヘッドホン出力１１０９）、バーコードおよび／またはＲＦＩＤスキャナ１１０８、ディスプレイ１１０７、電源スイッチ１１１１、電池スロット１１１２、ならびにオーサリングモードと再生モードの間を切り替えるためのデバイスモード選択器１１１３のうちの１つまたは複数を備えることができる。
【００３５】
図１２に示す代替的な実施形態を参照すると、モバイルデバイス１２００は、再生／停止１２１１、記録１２０８、後進１２０１、高速前進１２０９、ボリューム制御１２１６などのメディアコンテンツ制御キーを備えており、またメディアコンテンツと対話する際に使用するために別のさまざまな操作器を設けることができる。さらに、デバイス１２００は、デバイスによって発せられたオーディオによる質問に応答するためにオーディオプロンプト応答ボタン１２０３および１２１２を備えている。さらにこのデバイスは、新規ツアー生成ボタン１２０４、ツアーナビゲーション１２０５、ツアー／スライド削除１２１３などのツアーベースの操作器を有することができる。パーソナルモバイルデバイス１２００はさらに、オーディオ入力（たとえば、マイクロフォン１２０２）、オーディオ出力（たとえば、スピーカ１２０６またはヘッドホン出力１２１５）、バーコードおよび／またはＲＦＩＤスキャナ１２０７、電源スイッチ１２１９、電池スロット１２２０、取外し可能記憶装置１２１４、ＵＳＢコネクタ１２１７、バッテリ再充電用の電源１２１８、視覚的キューを出すためのＬＥＤ１２１０のうちの１つまたは複数を備えることができる。
【００３６】
本発明の考え方は、既存のポータブルコンピュータ、ＰＤＡおよび携帯電話機から、特定用途向けに作られた（すなわち、特別仕立ての）デバイスまでの範囲にあるような任意のタイプのコンピュータ処理デバイス上で実現させることができる。ツアーアプリケーションは、すべてのオブジェクト識別スキームの実現を義務付けられているのではないため、モバイルパーソナルデバイス１０５は、その特定のデバイス能力および利用コンテキストに最も適したラベル識別スキームを実現させることができる。さらに、モバイルパーソナルデバイス１０５は、特定のメディアに対するオーサリングおよび／またはレンダリングにしか対応しないことがある。たとえば、ツアーアプリケーションの完全な能力に対応するだけのリソースを有していないモバイルデバイス（たとえば、リソースが制約されている電話機など）の場合、そのデバイス向けにツアーアプリケーションプロキシを構築させることが可能であり、サーバ側においてリソース集約的な処理が実施される。さらに、ツアーアプリケーションプロキシ１１６および１１７の実装は、当該デバイスの記憶およびコンピュータ処理のリソースに基づいて実施される。たとえば、実施の一形態では、指標テーブル１１６をローカルに常駐させたオブジェクト識別子から構成させているが、マルチメディアコンテンツコレクション１１７はリモートに常駐させている。別の実施形態では、指標テーブル１１６もリモートに常駐させている、すなわち、そのプロキシはラベル検出スキームから取得したすべての正規化入力をリモートサーバ１１４に導いている。携帯電話機などリソースが制約されたデバイスでは、この後者の実施形態が好ましいことがある。コンピュータ処理および記憶のリソースを十分に有するようなデバイスでは、ツアーのコンポーネントである指標テーブルリポジトリ１１６とマルチメディアコンテンツコレクション１１７の両方を当該デバイス上にローカルで常駐させることができる。
【００３７】
ツアーアプリケーションに戻ると、ツアーアプリケーション１００４は、ツリー走査、ツリーノード生成、ツリーノード削除、およびツリーノード修正（ただし、これらに限らない）などのさまざまなツアー操作を実行するためにツアーツリー構造を生成および修正することができる実行可能な命令を含むことが好ましい（より詳細には以下で検討することにする）。コンテンツをツアーおよびメディアに対してリンクさせている指標テーブル１０２４は、ローカルに常駐させることや、サーバ上にリモートとすることのいずれとすることもある。ツアーアプリケーション１００４は、ツアーに対するオーサリング、再生、アノテーション、および／またはフィードバックに対応している。ツアーアプリケーション１００４はさらに、ある具体的な形式から別の形式へのツアーの変換に対応することができる。ツアーアプリケーション１００４はこれらの機能を実行するためのプロキシとの接続によって動作することができることを理解されたい。またさらに、ツアーアプリケーション１００４は、スタンドアロンのモジュールとすることができ、またその他のモジュール（単に一例では、ナビゲーションシステムなど）と一体化させることもできる。この後者の例では、そのナビゲーションシステムは、点Ａから点Ｂまで至る方法の詳細を提供する間に、ツアーアプリケーション１００４は、点Ａから点Ｂまでの経路に沿って発見した位置およびオブジェクトに関する情報を提供することが可能である。
【００３８】
モバイルパーソナルデバイスを介してユーザに情報を提供するためには上で指摘したように、本システムは、「ツアー」という考え方を用いることができ、このツアーは、たとえば、テキスト列、物理的オブジェクトラベル、地理的位置の座標、および時間的イベントを表しているタイムスタンプから生成させたオブジェクト識別子によって指標付けした、メディアコンテンツからなる順序付きリストであると見なすことができる。この点において、メディアコンテンツは、任意選択ではさらに、アノテーションおよびフィードバックを含むことができる。アノテーションおよびフィードバックはさらに、メディアコンテンツからなるリストである。メディアコンテンツはさらに、単に一例として、図３ｂに示すようにＸＭＬ、ＰｏｗｅｒＰｏｉｎｔ、同期式マルチメディア統合言語（「ＳＭＩＬ」）、その他などのさまざまな一貫した形式３１１で格納したテキスト、オーディオ、グラフィックス、および／またはビデオの形のディジタルコンテンツの順序付きリストと見なすことができる。
【００３９】
ある具体的な実施形態では、そのマルチメディアコンテンツが正規化されたラベル、すなわち、指標テーブルリポジトリ１１６内に格納した２つ以上の解釈スキームを総称するオブジェクト識別子によって指標付けされているような、マルチメディアディジタル情報のコレクションとしてツアーを実現させている。このディジタル情報には、オーディオファイル、視覚的グラフィックスファイル、テキストファイル、ビデオファイル、マルチメディアファイル、ＸＭＬファイル、ＳＭＩＬファイル、ハイパーリンクレファレンス、ライブエージェント接続リンク、プログラミングコードファイル、構成情報ファイル、その他のデータファイル、あるいはこれらを組み合わせたものが含まれる。このマルチメディアコンテンツに対してはさまざまな変換を実行することができる。たとえば、記録済みのオーディオをテキストファイルに転記させるている。コンテンツ形式変換の利点は、同じツアーに対するアクセスを、異なる能力をもつモバイルデバイスを用いるかつ／またはユーザ選好に従って実施できることにある。これの一例は、音声のみの携帯電話機を用いたツアーへのアクセス、あるいは表示能力をもつＰＤＡを用いた同じツアーへのアクセスである。
【００４０】
メディアコンテンツの集合は、そのアプリケーションコンテキストにとって適当であると見なされる任意の深度までで実施することができる。このことは特に、ツリーデータ構造の形態をしたツアーの例示的な実例の１つを表している図３ａに図示している。このツリーのノードは、ツアーノード３０１、チャンネルノード３０２、スライドノード３０３、およびメディアノード３０４である。詳細には、メディアノード３０４は、テキスト、オーディオ、ビデオ、グラフィックス、およびその他のデータを備えているか、またはこれらに対するリンクとなっている。スライドノード３０３は、１つまたは複数のメディアノード３０４に向けられている。チャンネルノード３０２は１つまたは複数のスライドノード３０３を集合させている。この集合によって、ツアー内のコンテンツに対する論理的な分類が容易となる。たとえば、博物館向けツアーでは、科学セクション内のすべての展示物をチャンネル３０２の１つに分類することができる。ツアーノード３０１は、チャンネルノード３０２のすべてを集合させて、１つのツアーを構成している完全な構造としている。図３ａに示すツアーのこの例示的な実例では、指標テーブル３０５をこのツアーツリーと関連付けさせている。このツアーデータ構造の柔軟性および豊富さによって、図３ｂに示すように、ツアー３１０に対する異なるファイル形式３１１間でのさまざまな変換が可能となる。
【００４１】
ツアーと関連付けさせたメディアコンテンツにアクセスするためには、具体的には指標テーブル３０５を使用している。この点において、オブジェクト識別子の読み取りに応答して実行される指標付け操作によって、モバイルパーソナルデバイス１０５においてツアー、スライド、またはチャンネルをレンダリングさせることが可能となる。上で指摘したように、ツアー、スライド、またはチャンネルは、ネットワークのサーバ側からおよび／またはローカルメモリ拡張スロットを含んだローカルメモリから、モバイルパーソナルデバイス１０５に提供することができる。
【００４２】
このツアー階層のノードは、ファイル形式仕様やそのファイルの物理的位置と無関係に情報に対する論理構造形成を使用することができるような所与のアプリケーションに適当な情報を含むことができる。したがって、ツアーに対して物理的ファイルの幾つかの実現形態が存在することがあり、またある具体的な実現形態においてそのツアーの構造上の完全性が保全されている限り、異なるファイル形式同士での変換の実施が可能である。しかし、送信先のモバイルパーソナルデバイスがツアー内のメディアコンテンツのうちの一部または全てに対応しないことがあり得るため、変換の間において幾つかのメディアコンテンツタイプは不適当となったり、「失われる」ことがある。たとえば、ディスプレイをもたずオーディオ能力のみを有するモバイルパーソナルデバイスでは、ツアーメディアコンテンツはオーディオ形式のみでの提示に制限されることになる。
【００４３】
物理的世界内の物理的オブジェクト、位置および／または時間的イベント（一括して、「実体要素」と呼ぶ）に関する情報を含んだツアーをオーサリングするためには、これらの実体要素に対してオブジェクト識別子として一律に取り扱われるラベルを用いてラベル付けしている。このオブジェクト識別子はシステムの内部に格納しており、またある実体要素に関するメディアコンテンツはその対応するオブジェクト識別子に対してバインドさせている。図４において全体をステージ４０１で表しているオブジェクトに対するラベルの割り当ての際に、既存のラベルをもたないオブジェクトは、カスタマイズしたラベルと共に提供している。既存のラベルをもつオブジェクトは、ＵＰＣコードによるタグを有するアイテムを含むことができる。カスタマイズ式のラベル付けの一例としては、フォトアルバム内のある写真や書籍内のある段落に対するラベル付けがある。既存のラベルを備えたオブジェクトの場合であっても、所望であればカスタマイズ式ラベル付けを実行することも可能であることを理解されたい。図４に示した残りのステージとしては、メディアコンテンツに対してオブジェクト／オブジェクト識別子をバインドさせているようなステージ４０２と、オブジェクト／オブジェクト識別子に対して任意選択のフィードバックおよびアノテーションをバインドさせることができるようなステージ４０３とが含まれる。
【００４４】
地理的位置のラベル付けのためには、位置座標を導入している。オーサリングモードでは、パーソナルモバイルデバイスなどのオーサリングデバイスは、ＧＰＳや同様のテクノロジを使用するか、あるいはワイヤレスネットワークから入手できる情報を用いて、その現在の位置座標を決定している。次いで、このコンピュータ座標はその地理的位置に対するオブジェクト識別子として使用することができる。このオーサリング処理は、任意の別のラベルと同じ方法でメディアコンテンツを座標に対してバインドさせることができる。さらに、この座標データの利用では、座標に対してバインドさせたメディアコンテンツの再生を開始させるために厳密な座標を入手する必要はない。それどころか、この座標の周りに、このメディアコンテンツの再生を起動させることができるような１つの円形の作用シェルを規定することができる。オーサリング処理を簡略とするために、この作用シェルは座標の平面的投影とし、これによって高度の変動を考慮せずに済むようにすることが好ましい。
【００４５】
さらに、座標ラベルの周りにさまざまな同心円状の作用シェルを規定することができること、ならびにこれらのシェルをメディアコンテンツに対して一意にバインドさせることが可能であることを理解されたい。この方式では、これらのさまざまなシェルへのエントリによって、当該のシェルに関して明示的にオーサリングしたオーディオおよび／または視覚的コンテンツを起動させることが可能である。このことは、たとえば、宝探しゲームなどのゲームアプリケーションにおいて特に有用である。
【００４６】
時間的イベントでは、さらにラベル付けをする必要がない、すなわち、そのタイムスタンプ自体にラベルの役割をさせることが可能である。この点において、周期的と非周期的の両方の時間的イベントのラベル付けにタイムスタンプを使用することが可能である。さらに、非周期的イベントをラベル付けする場合であっても、タイムスタンプラベルは、過去のイベントに対する注意喚起（ｒｅｍｉｎｄｅｒ）の役割をさせるようにこれらと関連付けさせた人為的な周期性を有することができる。本発明の実施の一形態では、パーソナルモバイルデバイス１０５内にある内部クロックを用いてタイムスタンプラベルの有効性をチェックしており、読み取ったときにさらに有効であれば、これによって再生モードでのコンテンツレンダリングを開始させることができる。タイムスタンプを使用して非周期的イベントをラベル付けする際には、そのタイムスタンプは物理的オブジェクトラベルや位置座標など１次ラベルに対する２次ラベルとして使用される。したがって、こうしたラベルは、１次ラベルに対する識別の結果として識別される。
【００４７】
テキスト列は、メディアコンテンツを指標付けするためのラベルとして直接的な役割をすることができる。たとえば、テキスト列は任意の非ディジタルデータをディジタルデータ（たとえば、テキスト列またはディジタルデータを表すことが可能な任意の別のコンピュータ指定データタイプ）に変換できるような変換器の出力とすることがある。さらに一例として、ツアーの実例の１つは、１つまたは複数の指標テーブルと組み合わせたマークアップ言語（たとえば、ＸＭＬまたはハイパーテキスト・マークアップ言語（「ＨＴＭＬ」）ページからなる１つの階層型の組とすることができる。指標テーブルの追加およびページの順位付けによって、既存のウェッブサイトをテキスト列を用いて指標付けのすべてを実施しているような１つのツアーとして実現させることが可能である。
【００４８】
物理的オブジェクトに対するラベル付けスキームは、オブジェクトに対するコードの手動書き入れから、バーコード、ＲＦＩＤタグ、ＩＲタグ、または従来のタイプの任意の識別手段を用いたオブジェクトに対するタグ付けまでに及ぶことがあり得る。カスタマイズ式ラベル付けを必要とするような状況では、そのラベル付けは、使用しているラベル付けスキームに関わりなく任意の順位で実施することができる。これによって、ラベルとオブジェクトの間での外部要因性の順位を維持する必要がなくなり、これによって、ラベル付け過程における誤りが排除される。
【００４９】
本発明の実施の一形態では、正規化ラベルに関するデータ構造表現は、可変長の空終端ストリング(null terminated string)である。別法として、この表現は、その抽出が非ディジタルデータからディジタル形式への任意選択による変換を後続させるようにしてラベルから抽出したディジタルデータを表すことができる任意のデータタイプとすることが可能である。たとえば、バーコードラベルがスキャンを受けると、スキャンニング・デバイスはこのラベルをデバイス指定方式に戻し、次いで規格化過程によって空終端ストリングに変換させている。たとえば、バーコードラベル上でエンコードさせた値がある具体的な製品に関するＵＰＣコードであれば、規格化した後ではこれが「０５９２８０００２００」などの１つの数字の列となり、この数字列では、規格化によってこの具体的なラベル抽出過程に関するすべての情報が取り出されるため、この値を抽出した方法に関する情報はまったく表に出ない。次いで、オブジェクト識別子と呼ぶこともあるこれら正規化列した列、すなわち総称的列は、オーサリングしたコンテンツの編集のための指標として使用される。
【００５０】
コンテンツオーサリングの間において、ラベルは正規化されてオブジェクト識別子となっているため、同じメディアコンテンツにアクセスするために複数のラベル付けスキームを使用することができる、ただし、これらのラベル付けスキームによってエンコードしたデータは規格化の後に同じ値をとっている場合に限られる。たとえば、オブジェクトは、ＵＰＣテキストストリームをこれと関連付けすることによってラベル付けすることが可能であり、またオブジェクトに対してバインドさせたメディアコンテンツは、同じＵＰＣテキストストリームを入力すること、またはこのＵＰＣテキストストリームに対応したＵＰＣバーコードをスキャンすることによって抽出することができる。別の例では、ＧＰＳタイプのデバイスから取得した座標をバーコードラベル、ＲＦＩＤタグ内に埋め込むこと、またさらにはオブジェクト内にエッチングすることができる。したがって、再生モードでは、たとえば、バーコード読み取り装置、ＲＦＩＤタグ読み取り装置、ＩＲポート、ディジタルテキスト、またはアナログ対ディジタルテキストの変換能力などのラベル検出能力のうちのいずれか１つを備えたパーソナルモバイルデバイス１０５を使用し、そのオブジェクトに対応したオブジェクト識別子とバインドさせたメディアコンテンツを抽出することが可能となる、その理由は、このケースでは、異なるラベル内に埋め込まれた情報はラベルデータに関する１つの正規化形式、すなわち、座標となっているためである。同じオブジェクトを複数のラベルのデータで指標付けするような複数のラベル付けスキームでは、そのスキームはこれらのすべてによって同じ正規化値が得られるようにする必要がある。上述の例では、バーコードラベルとＲＩＦＤタグは同じ値（たとえば、位置座標）を埋め込んでいる。
【００５１】
ちょうど複数のラベル付けスキームが同じ正規化指標値（オブジェクト識別子と呼ばれる）になると、複数の異なるオブジェクト識別子によって同じオブジェクトを参照させることができる。同じオブジェクト識別子を与えるために使用される複数のラベル付けスキーム間の違い、ならびに、この同じオブジェクトを指標付けしている複数の違ったオブジェクト識別子を一例として例証する。組込型ＲＦＩＤタグを備えた街路（ｓｔｒｅｅｔ）を考えてみる。ＧＰＳデバイスが戻す座標値はＲＦＩＤタグ内に埋め込まれている。コンテンツはその正規化値（座標）に関してオーサリングされる。ユーザはまた、当該の街路名に対するテキスト列ラベルを作成し、このラベルの正規化版のラベルを同じコンテンツにバインドさせることができる。ツアーのユーザが当該の位置まで来たときに、このユーザはＧＰＳデバイスかＲＦＩＤ読み取り装置かのいずれかを用いてコンテンツにアクセスすることが可能である。別法として、ユーザは街路名を読み取って、この街路名を入力して同じコンテンツにアクセスすることができる。このケースでは、ＧＰＳとＲＦＩＤラベル付けスキームとによって同じ正規化指標値が得られる。テキスト列ラベル付けでは、同じコンテンツを指標付けする異なるラベル付け値が得られる。
【００５２】
さらに、デバイスが位置決定能力とテキスト入力機構だけしか有していない場合は、ユーザの位置を用いてオブジェクト識別子のサーチ空間を絞り込むことが可能である。このタイプの機能の利点の１つは、これを用いてユーザの近傍にあるすべてのオブジェクトを自動的にリスト作成することができることである。多数のオブジェクトが存在するような状況では、ｃｕｌｌｅｄ型サーチ空間は、ユーザが街路名を打ち込むのに従ってこの街路名を自動完成（キーボード入力スキームを用いるデバイスの場合）させるか、またはユーザが発声した街路名を曖昧さなしに認識させる（音声認識能力を備えたデバイスの場合）ことによってユーザを支援することができる。この状況では、オーサリングと再生の両方において２つのオブジェクト識別子が使用される。再生モードでは、オブジェクト識別子（位置座標）のうちの一方を用いてもう一方（街路名テキスト列）の検出を支援している。
【００５３】
同じメディアコンテンツを指し示すために複数のラベル付け方法が用いられているような特殊なケースは、任意のツアーをコンテンツの順位式指標値によって指標付けする機能、すなわちツアー内に存在するコンテンツに対する暗黙の順位付けである。この順位付けの機能によって、その正規化ラベル付け方法と無関係にオーサリング済みのコンテンツに至るための代替的方法が提供される。この正規化ラベルはオーサリング処理の間に明示的に使用される正規化指標タイプと同じでないことがあるようなコンテンツの順位式指標を表しているディジタルテキスト列であるために、これは特殊なケースである。たとえば、正規化値として使用している座標を用いてオーサリングさせたコンテンツは、このコンテンツに対する順位式指標値を用いて抽出することができる。
【００５４】
メディアコンテンツにアクセスするかつ／またはメディアコンテンツをオーサリングするには、図５ａに表したようなラベル識別過程を実行する。ラベル識別過程から得られるのは、指標付け処理で使用することができるオブジェクト識別子である。図示したように、このオブジェクト識別子はラベルタイプと無関係である。さらに、上で指摘したように、異なるタイプのラベル５０２を検出しかつ抽出するために異なる種類のラベル入力スキーム５０１を使用することができ、またこの規格化過程５０３によって正規化させた指標値が得られる。ラベル規格化過程５０３から戻されるデータは、任意のコンピュータ対応のデータタイプによって表現することができ、英数字列に限定されない。
【００５５】
オーサリングモードでは、ラベル識別は、手作業によるか、バーコードスキャナ、光学式スキャナ、位置座標検出器、および／またはクロックなどの装置の支援を得るかのいずれかによってユーザにより積極関与方式で実施される。これらの識別したラベルの１つまたは複数を総称的に表現するためにはオブジェクト識別子を使用することができる。具体的には、オブジェクト識別子は異なるラベルの正規化表現として使用することができ、このためオブジェクト識別子は、その基本的な相違に対してトランスペアレントな方式で、異なるラベルによるメディアコンテンツの一律の指標付けを可能とする基本的目的をかなえることができる。さらに、上で指摘したように、ラベルは正規化方式で取り扱うため、ラベル検出をオーサリング処理と再生操作の間で異なって実行させることが可能である。
【００５６】
あるオブジェクトに対するオブジェクト識別子とメディアコンテンツの間の連携を維持するためには、オーサリング動作モードの間に指標テーブルを作成する。ラベルが識別されてオブジェクト識別子が作成されると、指標テーブルリポジトリ１１６内においてこのオブジェクト識別子に対するサーチ１１１が実施される。オブジェクト識別子がまだ指標テーブルリポジトリ１１６内にない場合は、このオブジェクト識別子を指標テーブルリポジトリ１１６に追加する。単に一例として、指標テーブルリポジトリ１１６は、指標テーブルおよびフラットファイル、リレーショナル型またはオブジェクトベースのデータベースシステム、その他を用いて実現させることができる。
【００５７】
指標テーブルリポジトリ１１６内でオブジェクト識別子が識別を受けた後、このオブジェクト識別子にメディアコンテンツを対応させることができる。上で指摘したように、このメディアコンテンツはテキスト、オーディオ、グラフィックス、ディジタル画像、およびビデオを含む１つまたは複数の形式をとることができる。指標テーブルリポジトリ１１６内の同じオブジェクト識別子に対して複数のメディアコンテンツを関連付けさせることができ、またこれら複数のメディアコンテンツは１つまたは複数の位置に格納することができる。間違ったオブジェクト識別子（したがって、間違ったオブジェクト）に対するメディアコンテンツの関連付けなど、指標付け過程における誤りを排除するために、オーサリングモードで新たなオブジェクトが識別されると、本システムは指標テーブルリポジトリ１１６内に新たなエントリを作成し、このオブジェクト識別子と関連付けさせようとするメディアコンテンツに対するオーサリング／識別を行うように速やかにユーザに促すことができる。このオブジェクト識別子生成とオーサリング／識別処理の同時発生によって、メディアコンテンツおよびオブジェクト識別子のバインド処理を概ね瞬時に行うことが可能となる。
【００５８】
上述したラベル付けおよびメディアコンテンツスキームの利点は、たとえば、写真アルバム、ＣＤコレクション、書籍コレクション、物品、ボックス、およびその他の品物を編集しているホームカタログの状況などの実際のアプリケーションにおいて特に見られるものである。この利点はさらに、売り主が売ろうとしているオブジェクトに関する情報の提供を希望することがあるような、大型と小型の両方の商用コンテキストにおいて用途が見いだせる。小型の商用コンテキスト利用の一例は、品物および／または品物の一部に対してラベル付けすると共に、これに対してメディアコンテンツを関連付けしているような、歴史的意義を説明することがあるような骨董品の売り主である。この点において、このオブジェクトは、任意の順位付けで迅速にラベル付けし、これと迅速かつ容易に関連付けさせたコンテンツを有するようにさせることができる。より大型の商用コンテキストでは、あるオブジェクトに関連付けさせたラベルをスキャンし、その販売促進情報や販売情報を記述しているメディアコンテンツをこのオブジェクトと関連付けすることによって、売り主は販売促進情報や販売情報を毎日オーサリングすることが可能である。
【００５９】
指標テーブルリポジトリ１１６はホストコンピュータを用いて作成できるようにしているが、指標テーブルリポジトリ１１６はモバイルパーソナルデバイス１０５を用いて作成することが好ましい。このためには、モバイルパーソナルデバイスはユーザに対して、ラベルを読み取って、その読み取ったラベルと関連付けさせるコンテンツをオーサリングすることを可能としている。次いで、モバイルパーソナルデバイス１０５、またはサーバ側コンポーネントは、このコンテンツと作成したオブジェクト識別子とを指標テーブルリポジトリ１１６内で互いに自動的に対応させることになる。これによれば、コンテンツオーサリングによってコンテンツを当該位置の座標と対応させるようにして直接作成できるため、座標のバインド処理が特に容易になることを理解されたい。これに関する具体的な一例は、住宅のツアーの作成をその住宅へのツアーの間で行っている不動産会社の販売員とすることができる。住宅購入者見込み客は、住宅までツアーをしながら、座標に対応させることも可能なフィードバックのオーサリングをすることが可能である。
【００６０】
ツアーをオーサリングするための過程の全体を、図６のステップ６１２〜６１４（プレツアー６１１はオーサリングツール６１５の支援を得て実行している）と図７のステップ７０１〜７０９に表している。オーサリング過程６１１は、オブジェクトがいまだラベルを有さず、またアプリケーション指定のラベル付けを要求しない場合は、オブジェクトに対するラベル付け（ステップ６１２）で開始される。ステップ７０１および７０２は、ラベルを有しないようなオブジェクトに対するこれらのステップに相当する。オブジェクトに対するラベル付け処理（ステップ７０３）は、任意の順序で実施することができる。このラベル付け処理に続いて、オブジェクトのカタログ付け処理（ステップ６１３）において、オブジェクトラベルをスキャンして抽出したラベルを正規化すること（ステップ７０４）によって得られるラベル指標を用いて指標テーブルを作成している。このラベル検出と同時に、コンテンツをオーサリングさせ、これらの指標に対してバインドさせる（ステップ７０５）。このオーサリング過程は、モバイルデバイス上に常駐させたオーサリングツール７０６によって実施することも可能である。ツアーのオーサリング過程の最終のステップでは、ローカル記憶装置内への保存から、モバイルデバイスへのダウンロードやサーバへのアップロードまでの範囲とすることが可能であるようなこれに対する公開処理が含まれる。記憶選択はツアーの制作者によって決定している。制作者は自身のツアーの幾つかまたはすべてについて非公開としたり、公開としたりさせるように選択している（ステップ７０７）。非公開ツアーは、これをサーバ上に格納することができないことを意味しておらず、むしろ一般に、オーサリングした特定のユーザのみが非公開のセキュリティ記憶装置内に格納することが典型的であるようなメディアコンテンツを観察することができることを意味している（ステップ７０８）。ユーザのオーサリング処理およびデータの照合は、従来の技法を用いて実行することができる。さらに、メディアコンテンツに対するセキュリティは、対称性や非対称性の暗号化、ディジタル署名、ハッシング（ｈａｓｈｉｎｇ）、および透かし入れ（watermarking)など、ただし、これらに限らない、の１つまたは複数の暗号技法を実装することによって強化することができる。セキュリティが問題でないような場合では、公開ツアーは公衆による自由なアクセスを受けることができる（ステップ７０９）。本発明の実施の一形態では、このツアーに対するアクセスはユーザによる利用料金の支払いに基づいて許可される。
【００６１】
またさらに、閲覧過程によって閲覧中に移動したリンクによってコンテンツおよび指標テーブルに対する順位付けが作成されるため、閲覧したウェッブページは１つのツアーにするように集合させることができる。さらに、訪れたページ内のすべてのハイパーリンクを自動的に指標テーブルに追加することも可能である。次いで、この閲覧したコンテンツは、この閲覧シーケンスでアクセスを受けた指標に対してバインドさせているアノテーションおよびフィードバックを備えるように強化することができる。したがって、１つまたは複数のツアーの再生、または従来のウェッブ閲覧は、再生モードでナビゲーションしたツアーとウェッブページからなる部分集合であるような新たなツアーに対するオーサリングとして取り扱うことができる。この機能は、複数のツアーおよび従来のウェッブページから抽出した情報を含むようなカスタマイズ型ツアーを作成するために極めて有用である。
【００６２】
指標テーブルリポジトリ内のあるオブジェクト識別子と対応済みのメディアコンテンツを再生するために、本システムは、読み取りラベル向けのオブジェクト識別子を決定し、指標テーブルリポジトリ内でこのオブジェクト識別子をサーチし、このオブジェクト識別子と関連付けさせたメディアコンテンツを抽出し、さらにこのメディアコンテンツをパーソナルモバイルデバイス上で連続してレンダリングさせている。この全体をツアー過程６２１に関連する図６のステップ６２２〜６２４と、図８に示すステップ８０１〜８０４で表している。ツアー再生の第１のステップはラベル検出（ステップ６２２および８０１）である。次いで、この正規化したラベルを使用して指標テーブルリポジトリを指標付けしている。指標が発見された場合（ステップ８０２）は、オーサリングステージ中に指標に対してバインドさせたメディアが抽出（ステップ６２３）され、抽出したメディアがレンダリングされる（ステップ８０４）。指標が発見されない場合では、典型的な処置の１つはユーザに対してエラー報告を出すこととなる（ステップ８０３）。このツアーはさらに、たとえば、ＵＲＬ選択における指標サーチなどマッチしない指標を探すための代替的な指標ルックアップスキームを提供するようにオーサリングを受けることもある。指標が発見された場合は、その指標をツアーの指標テーブルリポジトリに追加することができ、またここでそのコンテンツをツアーの順序付き要素の一部とすることができる。抽出したメディアのレンダリングに続いて、このツアーはユーザからのフィードバック／アノテーションを求める／受け付けるようにオーサリングさせていることがある（ステップ６２４）。これによってさらに、商業取引において全盛となっているような、遠隔にいる担当者または自動エージェントとのライブ接続を起動させることも可能である。再生モードでは、同じメディアコンテンツが複数のラベルの読み取りによって指標付けを受けている場合に同じコンテンツの反復再生を回避することが好ましい。
【００６３】
再生モードにおけるラベル識別は、オーサリングモードにおけるラベル識別と実質的に同じである。オーサリングモードではラベル識別によってオブジェクト生成が起動されており、一方再生モードでは、ラベル識別によってラベルマッチングが起動され続いてメディアレンダリングが起動される（そのラベルがオブジェクト識別子を有している場合）。さらに、再生モードでは、手作業によるラベル読み取り以外に、ラベル読み取りは、デバイスの近傍に位置する位置認識型のワイヤレスネットワーク、ＲＦＩＤタグによるか、内部クロックトリガーシステムによるかのいずれかによって自動的に起動させることがある。指摘したように、ラベル識別過程からメディアコンテンツの指標付けのために使用できるオブジェクト識別子が得られる。
【００６４】
指標テーブルリポジトリ内でそのオブジェクト識別子に対するマッチングがあると、このオブジェクト識別子に対してバインドさせたメディアコンテンツは、モバイルパーソナルデバイスがこのメディアコンテンツに対応していれば、連続したレンダリングが可能である。メディアコンテンツの再生は３つの方法、すなわち、ユーザによるラベル識別の手動起動、ラベルの自動読み取り、連続提示（たとえば、ツアーの要素の直線的走査）によって起動させることができる。図２を参照すると、再生を起動させる初めの２つの積極関与方法２０３によって、ツアーは人間のガイド役がいるのと幾分か同様な体験をユーザに対して提供することができる。この際、手動の起動は、ユーザがある具体的な質問を問いかけるのと同様であり、また自動起動２０４では常時ナレーションが流れているのと同様である。したがって、これら２つの再生方法は複数のメディアストリームを含んだ２つの論理チャンネルの役割をするため、このツアーによって、人間のガイド役によって提供される体験と比べてより豊かな体験をユーザに対して提供することができる。確実にこの２つのチャンネルが競合しないようにし、かつこれらの２つのチャンネル間の遷移をシームレスとするために、一方のチャンネルをバックグラウンドチャンネルに指定し、もう一方のチャンネルと比べてレンダリング優先度をより低くすることができる。バックグラウンドのフィードがそのより低い優先度の関数として起動されているとき、あるバックグラウンドフィードが利用可能であることを示すようなインタフェースキュー（たとえば、オーディオ、グラフィックス、テキスト、またはビデオ）をユーザに対して提供するようにアプリケーションによって選択することがある。図２は、Ｘ軸をオブジェクトサイズ２０１、またＹ軸をラベル検出範囲２０２としてプロットしたものである。図２は、積極関与式のラベル検出スキームが狭い検出範囲を有する小さいオブジェクトで機能しており、また暗黙式ラベル検出２０４はより広い検出範囲を有する大きなオブジェクトで機能することを表している。さらに、ユーザが異なる検出範囲を有する小さいオブジェクトと大きなオブジェクトとの間を移動するのに従って、これらのドメイン２０５間での遷移は上述のようなバックグラウンド／フォアグラウンドチャンネルスキームによってシームレスとなる。これら異なるドメイン向けに適用されるさまざまなラベル検出スキームを図５ｂにリスト表示している。
【００６５】
全体を図９で示した再生モードでは、特に図８のステップ８０５および８０６に表したようなコンテンツにアノテーションを付ける能力がユーザに対して与えられる。アノテーションを受け付けるためのメディアは、アノテーションを受け付けるデバイスの能力に応じて異なる。複数のオブジェクトがアノテーションに適格であるときは、ユーザに対してこれらの複数のオブジェクトのうちから選択するように促すようにすべきである。この一例は、手動でスキャンを受けたオブジェクトに対する再生をユーザが停止し、このオブジェクトの位置がたまたま、コンテンツが利用可能となる座標と一致していたような場合に起こることがある。ステップ８０７および８０８に表したフィードバックは、対話式過程とすることがある。またさらに、このツアーは取引を開始するために人間の担当者にユーザを直接接続できるようにしているライブ対応担当者接続施設の考え方に対応させることがある。このことは、モバイルパーソナルデバイスを携帯電話機内に埋め込んでいる場合に特に有用である。ユーザは、確立させた接続（ライブ対応担当者や自動式エージェントに対する接続）を用いて電子商取引を起動させることができる。
【００６６】
上で指摘したように、ツアーのオーサリングおよび再生によって、ツアーまたはそのコンテンツの物理的位置に対してまったく制約を課していない、すなわち、モバイルパーソナルデバイス上にローカルで常駐させることや、サーバ上にリモートで常駐させることも可能である。リモートに配置した場合、そのツアーは、ＷＰＡＮ、ＷＬＡＮ、およびワイヤレス・ワイドエリアネットワーク（「ＷＷＡＮ」）などの幾つかのワイヤレスアクセス方法のうちの１つによってアクセス可能となる。さらに、そのメディアコンテンツは、当該のアプリケーションに合わせて、事前に取得すること、オンデマンドでダウンロードすること、ストリーミングすること、などとすることが可能である。
【００６７】
ステップ６３２〜６３４を含む図６の６３１でその作成の全体を表しているような、ツアーのコンテキストで提供されるフィードバックおよびアノテーションはさらに、任意の物理的位置に常駐させることが可能である。ステップ６３２では、アノテーションおよびフィードバックは、モバイルデバイス１０５上にローカルでアーカイブさせるか、その作成時刻を特定するのに役立つ時間およびバージョン情報と一緒にサーバ１１４にアップロードさせている。コンテキストが欠如しているためにフィードバックおよびアノテーションをツアーと分離して解釈することが困難となることがあるため、アノテーションおよびフィードバックを６３３においてツアーと合成させている。フィードバック／アノテーションはこのアノテーション／フィードバックに関するコンテキストを提供するオブジェクト識別子に対してバインドさせているため、アノテーションおよびフィードバックを有する要素のみを含んだ元のツアーに関するツアー部分集合を作成することも可能である。このことは、ユーザがツアー全体の再生ではなくアノテーションを付けたまたはフィードバックが提供されるツアーの一部分のみの再生に関心を示している場合において極めて有用となる。このためには、たとえばＰＤＡ上で動作しているツアーアプリケーションは、当事者によって新たなツアーとしてレンダリングするためのｅメール添付物として、アノテーションおよびフィードバックを適当な送信先に容易に送信することができる。別の形態では、フィードバックおよびアノテーションと共にツアー公開６３４をサーバにアップロードすることが可能である。この利用法の一例は、以下で詳細に記載しているような子供の言語学習過程に対してアノテーションを付けている保護者である。保護者がツアーにアノテーションを付けた後、そのツアーは家族の残りのメンバーと共有できるようにサーバ６３４にアップロードされる。
【００６８】
図９は、ツアーの再生に関する、有線式とワイヤレス式の両方のネットワークにおける本システムの利用を表している。ここに一覧表示したステップは図６〜８に詳細に図示している。デバイスがワイヤレスネットワーク可能でない場合（ステップ９０１）では、ツアーはネットワークから有線式接続でダウンロードされる（ステップ９１４）。次のステップは、ラベルの検出（ステップ９０２）、このラベルのデコードおよび正規化（ステップ９０３）であり、またワイヤレスネットワークの場合（ステップ９０４）では、リモートサーバからのメディアのダウンロードである（ステップ９１５）。デバイスがネットワーク可能でない場合には、有線式接続によってすでに転送済みであるため、コンテンツはローカルの記憶装置から抽出される（ステップ９０５）。次いで、このコンテンツをレンダリングする（ステップ９０６）。アノテーション／フィードバックが可能である場合（ステップ９０７）に、公開ツアー（ステップ９０８）に対しては、接続が利用可能であれば（ステップ９１０）、アノテーションをサーバ９１３にアップロードする（ステップ９１２）。接続が利用可能でない場合には、将来アップロードさせるようにキューに待ち行列に入れている（ステップ９１１）。非公開ツアーに対するアノテーションはローカルで格納させている（ステップ９０９）。
【００６９】
下に掲げた表１および２の支援による以下の説明によって、ツアーをその中で使用することができるアプリケーションの概要を記載している。
【００７０】
【表１】
2005509982.tif 000003
【００７１】
【表２】
2005509982.tif 000004
2005509982.tif 000005
【００７２】
アプリケーションの例（アプリケーション１〜９）を表２に表している。たとえば、本システムおよび方法は子供の早期段階の単語をカタログ付けするために使用することができる（表２、アプリケーション１）。保護者はすべて、自身の子供が初めて何かの単語や文を口に出したことの少なくとも１つの記憶を喜んで思い起こすことができる。また残念ながら保護者らは、子供がある単語や文を初めて口に出した極めて貴重な瞬間を取り込むことが困難であることも分かっている（保護者が走っていってオーディオ／ビデオレコーダを取ってくる時間までには、すでに子供の注意が何か別のものに移ってしまっており、子供にもう一度これを言わせるのは実質的に不可能となる）。さらに、最初の発語を取り込みたいという魅力は、同じ単語や文をその後で口に出させることと同じではない。
【００７３】
これらの問題を解決するために、本明細書に記載した装置を使用すると、オーディオ記録をしてこれに指標としてタイムスタンプをカタログ付けしているような音声起動式のレコーダによってツアーを作成することができる。本システムを使用すると、各日ごとに別々に話した単語や文を集合させること、したがって子供の学習過程の時系列記録の役割をさせることができる。本システムを用いるとさらに、オーサリングしたコンテンツが子供の音声であるというオーサリングコンテンツに対するアノテーション付与が可能となる。たとえば、保護者は子供がある具体的な単語や文を口に出したことに対して、これが発せられたコンテキストをアノテーションとして付け、これによってツアーを子供の言語学習過程の極めて貴重な時系列記録とすることができる。
【００７４】
本システムはさらに、保護者自身の声での複数の別の文章に対するオーサリングを保護者に対して可能にするために使用することができる。この文は子供が話しているときにランダムに選択して再生させ、これによって子供がもっと話しをするように励ますことになる。オーサリングしたツアーおよびアノテーションは、リモートサーバへのアップロードによって、保存したり別のものと共有するためにデバイスから抽出することができる。アップロードしたコンテンツは、ワイヤレスネットワーク接続を備えた携帯電話機やＰＤＡによってアクセス可能であるような、公開ツアーまたは非公開ツアーとしてアクセス可能とすることがある。しかしながら、市場に広まっている趣が異なるディジタル音声レコーダではそのいずれもが、このアプリケーション向けにその能力を最適化させた本発明の基本能力に整合していない。詳細には、これらのデバイスは、すでに記録済みのコンテンツに対するアノテーションに対応しておらず、また子供の音声に対する応答として引き続き再生させ子供にもっと話しをするように励ます役割をすることができるような保護者によるオーサリングにも対応していない。
【００７５】
本システムの上述した機能は、「Ｆｉｒｓｔ  Ｙｅａｒｓ」ブランドのチャイルドモニタなど現在市場に存在する子供監視デバイス内に一体化させることができる。具体的には、この実施形態の能力を、そのデバイスの送信器コンポーネント内に一体化させることがある。受信器は送信器が送信した信号以外に周囲のＲＦ信号も受信するため、受信器は一体化のための理想的な箇所ではないことを理解されたい。
【００７６】
また別のアプリケーションで、本システムおよび方法は子供の学習玩具（表２、アプリケーション２）として使用することができる。このアプリケーションでは、パーソナルモバイルデバイス上に、ある種の装置制御ボタンを選択的に覆っているチャイルドシールドを配置することができることが好ましい。この装置の「玩具利用」では、コンテンツのオーサリングおよび再生の容易さを強調している。このアプリケーションの一例では、母親がバーコード、ＲＦＩＤまたは何らかのアナログ対ディジタル手段によって変換可能な任意の別のラベルタイプを用いて自宅内のオブジェクトにラベル付け（またさらに、書籍の一部に対するラベル付け）し、さらにこれらのオブジェクトに関して自らの声で情報を記録している。次いで、子供はこのラベルをスキャンし、母親が記録した音響メッセージを聞く。母親は自宅の周りのオブジェクト内にラベルを隠しておき、子供をラベルを探しに行かせ、これを発見して母親が記録したことを聞かせることができる。したがって宝探しゲームの目的の役割をすることになる。
【００７７】
本システムおよび方法のさらに別の利用は成人に対する外国語学習ツール（表２、アプリケーション３）としての利用である。オブジェクトがスキャンを受けたときに、パーソナルモバイルデバイスは当該オブジェクトの名称をある具体的な言語で再生する。またさらに、本システムおよび方法を用いると、指標付けが再生リストの役割をしているようなディジタルオーディオプレーヤを実現させることができる。
【００７８】
カタログ付け装置としての利用では、対象システムおよび方法を用いると、新しいアパートへの引っ越しの際に写真アルバム、書籍、ボックスなどをカタログ付けすることができる（表２、アプリケーション４、６）。本システムは、関心対象のオブジェクトにすでに存在するラベルの使用、またはオブジェクト上へのカスタマイズ式ラベルの添付が不可欠となることがあるような単純なラベル付けスキームによることができる。ユーザは、一意の番号によって所望の任意の順位付けで写真などにラベル付けすることがある。ラベル付けと同時に、あるいはラベル付け過程に続いて、ユーザは、ある具体的な指標に関するコンテンツをオーサリングし、写真などの指標値とオーサリングしたコンテンツとの間の関連を手動式に保持させることができる。モバイルパーソナルデバイス１０５がバーコードスキャナを含んでいる場合、このバーコードスキャナは、コンテンツに対するラベル検出と同時のオーサリングに対応させることによって、写真などとオーサリングしたコンテンツとの間の対応関係を維持するのに役立てることができる。この実現形態において、このラベル付けスキームは、バーコード読み取り装置によって認識することができる任意のバーコードエンコードスキームを使用して実施させることになる。この状況では、ツアーの制作者とツアーの再生者は同一人物とすることも異なる人物とすることもできる。
【００７９】
モバイルパーソナルデバイス１０５はさらに、たとえば、ツアー内のコンテンツの順位式位置などのディジタルテキスト入力を提供することができるインタフェース制御を提供することができる。さらに、現在のコンテンツ選択の指標を表示する任意選択のディスプレイを有することもできる。インタフェース制御は、指標ナビゲーションボタンを押し切りにして、これによって所望の指標へのデバイスの迅速な到達を可能にし、表示された指標のナビゲーションを高速化することができる。指標値は、キーボード入力なしで大きな指標を選択するには厄介であるほどに大きいことがあるため、これが有利となる。モバイルパーソナルデバイス１０５はさらに、同じツアーを後で続ける場合にアクセス速度を上昇させるようにデバイスを電源断としたときに、アクセスを受けた最後の指標を記憶させるように適合させることができる。別の実施形態では、パーソナルモバイルデバイス１０５は、コンテンツの再生のみの読み取りを可能としているようなモード選択器を有することができる。このことによって、記録済みコンテンツに対する誤った上書きが回避される。
【００８０】
本システムおよび方法を「パーソナルカタログ付け装置／言語学習／オーディオプレーヤ」として使用するとき、ツアーオーサリングおよび再生装置１０５はセデンタリーな利用を目的としているため、ツアーオーサリングおよび再生装置１０５には単にオブジェクトスキャン能力を備えさせるだけでよく、したがって、座標ベースのラベル付けに対応する必要はない。このパーソナルモバイルデバイス１０５は、複数のツアーをオーサリングさせることができ、デバイス上に同時に常駐させることが可能となるように適合させることができる。
【００８１】
本システムおよび方法はさらに、たとえば、買い物リストの生成を支援するためや、買い物中に購入するオブジェクトを確認しこれによって自動買い物チェックリストの役割をさせるための記憶装置の役割をさせることができる（表２、アプリケーション７）。このために、本システムは、オーサリングモードで作成したこれらのオブジェクトの簡単な説明を伴うオブジェクト識別子からなるマスタリストを維持することができる。
【００８２】
表２において、アプリケーション８および９は特に携帯電話機およびハンドヘルド型デバイス（ＰＤＡ）を対象としたツアーの例である。本システムは、たとえば、テキスト列、変換済みのアナログ対ディジタルデータ、バーコード、ＲＦＩＤ、ＩＲ、位置座標、およびタイムスタンプなど、上で言及したオブジェクトのラベル付けおよび指標付けのすべての形式を実現させるようなツアーのオーサリングおよび再生デバイスとして使用することができる。これらのツアーのすべては任意のマルチメディアコンテンツを含むことができ、オーディオに限定されない。こうした「ツーリストガイド」のあるアプリケーションは空港に着陸し、本システムを用いて位置、史跡、屋内オブジェクトに関する情報を取得しているツーリストであって、積極関与式と暗黙式のラベル検出ドメイン２０５の間でシームレスで遷移しているツーリストである。さらに上述のことから、記載したシステムおよび方法は、オブジェクトベースの情報検索と位置ベースの情報検索の世界の間を橋渡しし、これによってこれら２つのアプリケーションドメイン間でのシームレスな遷移を提供できることを理解されたい。
【００８３】
詳細には、記載したシステムは、とりわけ、従来のシステムには見られないような以下の利点を有している。
（１）容易にアクセス可能な膨大な情報リソースとしてのインターネット、出来合いのマルチメディア対応のポータブルハンドヘルド型デバイス、ならびにユビキタスなワイヤレスネットワークを使用することによって、本発明は、開放型の対話式ガイドシステムを提供している。ユーザは、このガイド型ツアーに対する積極的な対話参加者であり、創作者および供給元、ならびに彼ら自身も顧客となる。アプリケーションは、想像力によってのみ限定されるものであり、教育用玩具、博物館ツアー、言語学習ツアーなどに及ぶものである。これらのアプリケーションのすべてに関して、本発明の支援を受けたユーザは、個人化、自らの印象のツアーへのアノテーション付与、別のユーザとのフィードバックの共有、別の人や機械との相互作用や取引の開始が可能である。
【００８４】
ａ．個々のラベルオブジェクト自体は、ユーザ自身の周りのオブジェクトに関して既存のラベルを使用している。
ｂ．ツアーの制作者およびツアーのユーザ（供給元と顧客）は同一人物（複数人物のこともある）である場合や違う人物（複数人物のこともある）である場合がある。
【００８５】
ｃ．「非公開ツアー」はインターネットや地域社会に容易に公開すること、利用、寄贈、交換または販売のために他人に対して「公開」とさせることができる。
ｄ．ツアーはもはや閉じた最終製品ではなくなり、これを個人化、共有、直接会ったことがない人との共同オーサリングが可能である。
【００８６】
ｅ．ユーザは、諸機関から特殊な独自のデバイスをレンタルするのではなく自分のパーソナルポータブルハンドヘルド型デバイスを使用し、インターネットまたはローカルエリアネットワークからソフトウェアおよびコンテンツをダウンロードするだけとすることができる。
【００８７】
ｆ．ユーザおよびサービス提供者は、ストリーミングビデオおよびオーディオを含むマルチメディアコンテンツをオーサリングしかつ公開するためのオーサリングツールにアクセスすることができる。
【００８８】
ｇ．本システムは、ツアーをオーサリングしかつ公開するためのシステムおよび方法を提供しているが、本システムはそのツアーのコンテンツを制限していない。
（２）本システムは、屋内と屋外の両方で使用することができる。
【００８９】
（３）ツアーコンテンツは異なるメディアタイプでオーサリングすることができる。ツアーの提示は、デバイスの能力（オーディオのみ、テキストのみ、ハイパーテキスト、マルチメディア、ストリーミングビデオおよびオーディオ、その他）に応じて異なり、適当なメディア変換を実施することになる。ツアーには、ネットワークアクセスを伴った動作と、ネットワークアクセスを伴わない動作の両方がある。ユーザはツアーの前にツアーコンテンツをダウンロードすることができ、またこれをポータブルハンドヘルド型デバイス上に格納することやワイヤレスネットワークを介してこのツアーコンテンツに動的にアクセスすることができる。
【００９０】
（４）本システムは、既存のオブジェクトタグ（バーコード、ＲＦＩＤ、赤外線タグ）と、ある特定のツアー向けに製作された特殊なタグとの両方を利用している。
（５）関連するコンテンツを１つのツアーの形に論理的に集合させることの恩恵は極めて明瞭であり、これは単に多数の商用アプリケーションにおいてだけではなく、オーディオのアノテーション付与アルバム、子供の早期の発話の時系列のリポジトリ、または母親が自分の子供たちに残した旧宅や品物に関する母親のアノテーションを含むようなツアーなど、多数の個人的な利用状況においても得られる。これらのケースにおいて、このツアーは、自分の人生を豊かにするような気に入った記憶を極めて貴重な時間ワープ起動式の想起法の役割をしている。これはさらに、自身の人生に関するメディアリッチなスナップによって人を不朽のものとする重要な役割を果たしている。
【００９１】
本発明について、その幾つかの好ましい実施形態を参照しながら具体的に図示し記載してきたが、当業者であれば、添付の特許請求の範囲に規定したような本発明の精神および趣旨を逸脱することなく、形態および詳細に関してさまざまな変更を実施することができることを理解するであろう。
【図面の簡単な説明】
【００９２】
【図１】ツアーのオーサリング、格納、抽出、および再生のために使用するシステムの図である。
【図２】さまざまなラベルタイプをもつアプリケーションドメインを、ラベル付けを受けるオブジェクトのサイズおよびそのラベルの検出範囲の関数として表した図である。
【図３ａ】ツアーの一事例に関する例示的なツリー構造の図である。
【図３ｂ】あるツアーが対応している例示的なファイル形式の図である。
【図４】ツアーに対するラベル付け、オーサリング、再生、アノテーション、およびフィードバックのステージの間において実施することがあるバインド処理の例である。
【図５ａ】さまざまなラベル入力スキーム、ラベルエンコード、ラベル規格化過程、ならびにツアー内でのこれらの実装を表した図である。
【図５ｂ】さまざまな積極関与式ラベル検出スキームおよび暗黙型のシステム駆動式ラベル検出スキームを表した図である。
【図６】プレツアーおよびポストツアーの処理を含むツアーに関する処理向けの図である。
【図７】プレツアーのオーサリングのための例示的な一方法を表した図である。
【図８】ツアー再生のための例示的な一方法を表した図である。
【図９】具体的にネットワーク式リモートサーバサイトを用いたツアー再生のための例示的な一方法を表した図である。
【図１０】図２に示したネットワーク内で使用するためのハンドへルド型モバイルデバイスの例示的な内部コンポーネントのブロック図である。
【図１１】ハンドへルド型モバイルデバイスに関する例示的な物理的実施形態の１つの図である。
【図１２】ハンドへルド型モバイルデバイスに関する別の例示的な実施形態の図である。
【図１】
2005509982.tif 000006
【図２】
2005509982.tif 000007
【図３ａ】
2005509982.tif 000008
【図３ｂ】
2005509982.tif 000009
【図４】
2005509982.tif 000010
【図５ａ】
2005509982.tif 000011
【図５ｂ】
2005509982.tif 000012
【図６】
2005509982.tif 000013
【図７】
2005509982.tif 000014
【図８】
2005509982.tif 000015
【図９】
2005509982.tif 000016
【図１０】
2005509982.tif 000017
【図１１】
2005509982.tif 000018
【図１２】
2005509982.tif 000019
【国際調査報告】
2005509982.tif 000020
2005509982.tif 000021